(57)【要約】  複数の光ディスクが装填されているように、仮想的に光ディスクを扱うことができる番組録画装置を実現する。本発明に係るレコーダ装置（１００）は、記憶部（３４０）を有するドライブ部（３００）を備えている。ドライブ部（３００）は、インターフェース部（３１０）がディスク指定情報と第１の領域指定情報とを含む書き込み命令を、書き込み対象となるデータと共に取得したとき、記憶部（３４０）にデータを書き込むと共に、データが書き込まれた記憶部（３４０）の領域を指定する第２の領域指定情報を、ディスク指定情報および第１の領域指定情報に関連付けてマップテーブルに登録するドライブ制御部（３２０）を備えている。
2010113480.tif 000002
【特許請求の範囲】
【請求項１】
ドライブ装置と、複数の記録媒体のいずれかを録画先として指定する記録媒体指定情報を含む予約録画情報に基づいて、番組を上記ドライブ装置に録画させる制御手段とを備える番組録画装置であって、
上記ドライブ装置には上記記録媒体を装填可能であり、
上記制御手段は、上記記録媒体指定情報および当該記録媒体指定情報により指定された記録媒体上の記憶領域を指定する第１の領域指定情報を含む書き込み命令を、上記番組を表すデータと共に上記ドライブ装置に入力し、
上記ドライブ装置は、記憶部と、上記書き込み命令および上記データが入力されたとき、上記記憶部に上記データを書き込む書込手段と、上記書込手段により上記データが書き込まれた上記記憶部上の記憶領域を指定する第２の領域指定情報を、上記記録媒体指定情報および上記第１の領域指定情報に関連付けて上記記憶部に記録する記録手段と、を備えていることを特徴とする番組録画装置。
【請求項２】
上記ドライブ装置は、上記複数の記録媒体毎に、上記複数の記録媒体を識別する識別情報を上記記憶部に登録する登録手段をさらに備えることを特徴とする請求項１に記載の番組録画装置。
【請求項３】
上記ドライブ装置は、上記複数の記録媒体のいずれかが装填されたとき、装填された記録媒体を指定する上記記録媒体指定情報に関連付けられた第２の領域指定情報により指定された上記記憶部上の記憶領域に書き込まれたデータを、当該第２の領域指定情報に関連付けられた第１の領域指定情報により指定された上記装填された記録媒体上の記憶領域に書き込む同期手段をさらに備えることを特徴とする請求項１または２に記載の番組録画装置。
【請求項４】
上記ドライブ装置は、上記書き込み命令および上記データが入力されたとき、上記書込手段が上記記憶部に上記データを書き込む第１の形式とは異なる第２の形式で、装填されている上記記録媒体に上記データを書き込む第１の記録媒体書込手段をさらに備えることを特徴とする請求項１または２に記載の番組録画装置。
【請求項５】
第１の形式と第２の形式とは、上記データの圧縮率が互いに異なることを特徴とする請求項４に記載の番組録画装置。
【請求項６】
上記ドライブ装置は、上記記録媒体指定情報に指定される記録媒体毎に上記書込手段を一時的に無効にする書込無効モードを有し、上記書き込み命令および上記データが入力されたときに当該書き込み命令に含まれる上記記録媒体指定情報が指定する記録媒体に対して上記ドライブ装置が書込無効モードで動作している場合、装填されている上記記録媒体に上記データを書き込む第２の記録媒体書込手段をさらに備え、
上記ドライブ装置に上記書き込み命令および上記データが入力されたときに当該書き込み命令に含まれる上記記録媒体指定情報が指定する記録媒体に対して上記ドライブ装置が書込無効モードで動作している場合、上記記録手段は、上記記録媒体指定情報および上記第１の領域指定情報を上記記憶部に記録することを特徴とする請求項１または２に記載の番組録画装置。
【請求項７】
記憶部を有するドライブ装置を備え、上記ドライブ装置には記録媒体を装填可能であり、複数の上記記録媒体のいずれかを録画先として指定する記録媒体指定情報を含む予約録画情報に基づいて、番組を上記ドライブ装置に録画させる番組録画装置における録画方法であって、
上記記録媒体指定情報および当該記録媒体指定情報により指定された記録媒体上の記憶領域を指定する第１の領域指定情報を含む書き込み命令を、上記番組を表すデータと共に上記ドライブ装置に与える入力ステップと、
上記記憶部に上記データを書き込む書込ステップと、
上記書込ステップにおいて上記データが書き込まれた上記記憶部上の記憶領域を指定する第２の領域指定情報を、上記記録媒体指定情報および上記第１の領域指定情報に関連付けて上記記憶部に記録する記録ステップと、を含むことを特徴とする録画方法。
【請求項８】
請求項１または２に記載の番組録画装置を動作させるための制御プログラムであって、コンピュータを上記の各手段として駆動させることを特徴とする制御プログラム。
【請求項９】
請求項８に記載の制御プログラムを記録したコンピュータ読み取り可能な記録媒体。
【発明の詳細な説明】
【技術分野】
【０００１】
本発明は、番組の予約録画機能を有し、リムーバブルな記録媒体用のドライブ部を備える番組録画装置、その制御方法、制御プログラム、および記録媒体に関する。
【背景技術】
【０００２】
放送等のコンテンツを記録・再生する装置としてビデオテープレコーダーが広く知られている。【０００３】
また、近年のデジタル信号処理技術の発達により、ハードディスクや光ディスク（ＤＶＤ、ＢＤ）などの記録媒体（記録メディア）に放送番組をデジタル信号として記録する番組録画装置が登場している。また、一般に番組録画装置は、タイマー装置などを内蔵しており、あらかじめ日時を指定することで自動的に番組を録画する録画予約機能を備えている。【０００４】
ここで、前記の番組録画装置では、従来、所望の放送番組が放送される日時をユーザー自らがタイマー装置などに設定する必要があった。こうしたユーザーの負担を軽減するための方法として、例えば、インターネットなどを通じて提供される放送番組表データ（電子番組ガイド：Ｅｌｅｃｔｒｏｎｉｃ  Ｐｒｏｇｒａｍ  Ｇｕｉｄｅ）をユーザーが選択することにより、番組録画装置が対応する日時データを自動的に取り込み、当該日時データを録画日時として自動的に設定する方法などが知られている。また、録画日時を自動的に設定する方法の応用として、番組録画装置がユーザーの視聴する番組の傾向を予測する予測手段を備えることで、ユーザーの視聴する放送番組の傾向に応じて自動的に録画予約設定を実行する方法などが提案されている。【０００５】
特許文献１に記載の光ディスクには、その光ディスクに録画可能な複数種類のテレビジョン放送のうち、当該光ディスクに固有の予め設定された特定種類のテレビジョン放送の記録開始予定時刻と記録終了予定時刻とを少なくとも含む予約情報が記録されている。そして、光ディスク毎に固有のテレビジョン放送に対応する予約情報が記録されているため、対応する情報記録再生装置は、テレビジョン放送の録画前に当該予約情報を読み出し、当該読み出した予約情報に基づいて録画すべきテレビジョン放送を選択して録画することにより、一の光ディスク内に当該光ディスクに固有のテレビジョン放送（例えば、連続ドラマ等）のみを録画することができる。【０００６】
特許文献２に記載のＤＶＤ記録再生装置は、ディスクを複数枚収納するストッカーを有するディスクチェンジャー付きのＤＶＤ記録再生装置である。このＤＶＤ記録再生装置は、録画予約実行処理において、コントローラによって録画予約設定内容のディスクＩＤを読み出し、そのディスクＩＤを記憶部に記憶し、録画予約設定内容のディスクＩＤに一致するディスクが検出されるまでストッカーに収納した各ディスクのディスクＩＤを順次読み出して記憶し、ディスクＩＤが一致するディスクを検出すると当該ディスクを抽出して、予約設定内容に基づき録画を行う。【０００７】
特許文献３に記載の記録再生装置は、光ディスクドライブとハードディスクドライブとインターネットに接続するネットワーク接続部とを備える記録再生装置である。この記録再生装置はインターネットの番組情報サーバから番組情報を取得し、ユーザーが録画するよう設定した連続番組について、光ディスクに番組の識別ＩＤを書き込む。この記録再生装置は上記連続番組を特定の光ディスクに録画する。また、目的の光ディスクが光ディスクドライブにセットされていない場合、記録再生装置は上記連続番組をハードディスクに録画する。
【先行技術文献】
【特許文献】
【０００８】
【特許文献１】日本国公開特許公報「特開平１１−２６００４３号公報（公開日１９９９年９月２４日）」
【特許文献２】日本国公開特許公報「特開２００２−３３５４８５号公報（公開日２００２年１１月２２日）」
【特許文献３】日本国公開特許公報「特開２００４−８０５０７号公報（公開日２００４年３月１１日）」
【発明の概要】
【発明が解決しようとする課題】
【０００９】
複数のドラマ等の連続番組を、番組毎に別々の記録媒体に録画保存することは、記録媒体を整理保存するために大いに有効である。しかしながら、上記のような従来技術には、以下の問題がある。【００１０】
特許文献１に記載の光ディスクおよび情報記録再生装置では、予約されたテレビジョン放送の録画時間に当該光ディスクを情報記録再生装置に装填していない場合、そのテレビジョン放送は当該光ディスクに録画されない。特に情報記録再生装置にいずれの光ディスクも装填されていない場合、テレビジョン放送は録画することができず、記録すべきテレビジョン放送の連続性が損なわれる。また、複数のディスクを同時に情報記録再生装置に装填することができないため、同時間における複数ディスクへの別番組の同時録画を行うことができない。すなわち、いずれか１つのディスクへの録画しか行うことができない。【００１１】
特許文献２に記載のＤＶＤ記録再生装置は、ストッカーに目的のディスクを収納していない場合、予約設定された番組を録画することができない。また、多数のディスクを収納しようとするとＤＶＤ記録再生装置の物理的なサイズが大きくなってしまう。また、複数のディスクに対して同時に記録することができないため、同時間における複数ディスクへの別番組の同時録画を行うことができない。すなわち、いずれか１つのディスクへの録画しか行うことができない。【００１２】
特許文献３に記載の記録再生装置は、光ディスクドライブが光ディスクを仮想化して扱うものではないため、ハードディスクおよび光ディスクドライブの制御を行うシステムコントロール部の制御が複雑になり、当該システムの他機種への移植には手間がかかる。また、対象の光ディスクに記録すべき番組を、当該光ディスクの容量を超えてハードディスクに記録した場合、ユーザーは当該光ディスクに保存するために改めて番組を整理しなければならない。また、大容量のハードディスクを必要とする。【００１３】
本発明は、上記の問題点に鑑みてなされたものであり、その目的は、複数の記録媒体が装填されているように、仮想的に記録媒体を扱うことができる番組録画装置を実現することである。
【課題を解決するための手段】
【００１４】
本発明に係る番組録画装置は、ドライブ装置と、複数の記録媒体のいずれかを録画先として指定する記録媒体指定情報を含む予約録画情報に基づいて、番組を上記ドライブ装置に録画させる制御手段とを備える番組録画装置であって、上記課題を解決するために、上記ドライブ装置には上記記録媒体を装填可能であり、上記制御手段は、上記記録媒体指定情報および当該記録媒体指定情報により指定された記録媒体上の記憶領域を指定する第１の領域指定情報を含む書き込み命令を、上記番組を表すデータと共に上記ドライブ装置に入力し、上記ドライブ装置は、記憶部と、上記書き込み命令および上記データが入力されたとき、上記記憶部に上記データを書き込む書込手段と、上記書込手段により上記データが書き込まれた上記記憶部上の記憶領域を指定する第２の領域指定情報を、上記記録媒体指定情報および上記第１の領域指定情報に関連付けて上記記憶部に記録する記録手段と、を備えている。【００１５】
本発明に係る録画方法は、記憶部を有するドライブ装置を備え、上記ドライブ装置には記録媒体を装填可能であり、複数の上記記録媒体のいずれかを録画先として指定する記録媒体指定情報を含む予約録画情報に基づいて、番組を上記ドライブ装置に録画させる番組録画装置における録画方法であって、上記課題を解決するために、上記記録媒体指定情報および当該記録媒体指定情報により指定された記録媒体上の記憶領域を指定する第１の領域指定情報を含む書き込み命令を、上記番組を表すデータと共に上記ドライブ装置に与える入力ステップと、上記記憶部に上記データを書き込む書込ステップと、上記書込ステップにおいて上記データが書き込まれた上記記憶部上の記憶領域を指定する第２の領域指定情報を、上記記録媒体指定情報および上記第１の領域指定情報に関連付けて上記記憶部に記録する記録ステップと、を含む。【００１６】
上記の構成によれば、ドライブ装置が、複数の記録媒体のいずれかを指定する記録媒体指定情報と、記録媒体指定情報により指定された記録媒体上の領域を指定する第１の領域指定情報とを含む書き込み命令と共に、番組を表すデータを取得したとき、記憶部にデータを書き込むと共に、データが書き込まれた記憶部上の記憶領域を指定する第２の領域指定情報を、記録媒体指定情報および第１の領域指定情報に関連付けて記憶部に記録する。【００１７】
すなわち、番組録画装置は、記録媒体指定情報により指定された記録媒体がドライブ装置に装填されたときに、記憶部に記録されたデータを記録媒体上の記憶領域のいずこに書き込むべきであるかという情報を有している。【００１８】
よって、本発明に係る番組録画装置は、記憶部に書き込んだデータを指定された記録媒体上の領域のいずこに書き込むべきであるのかを示す情報を参照することにより、指定された記録媒体に対するアクセスを記憶部に対するアクセスに読み換えることができる。これによって、本発明に係る番組録画装置では、記録媒体指定情報により指定された記録媒体が装填されていない場合であっても、あたかも指定された記録媒体が装填されているかのごとくデータを処理することができる効果を奏する。つまり、複数の記録媒体が常にあたかも装填されているかのごとくデータを処理することができる効果を奏する。
【発明の効果】
【００１９】
本発明に係る番組録画装置は、ドライブ装置と、複数の記録媒体のいずれかを録画先として指定する記録媒体指定情報を含む予約録画情報に基づいて、番組を上記ドライブ装置に録画させる制御手段とを備える番組録画装置であって、上記ドライブ装置には上記記録媒体を装填可能であり、上記制御手段は、上記記録媒体指定情報および当該記録媒体指定情報により指定された記録媒体上の記憶領域を指定する第１の領域指定情報を含む書き込み命令を、上記番組を表すデータと共に上記ドライブ装置に入力し、上記ドライブ装置は、記憶部と、上記書き込み命令および上記データが入力されたとき、上記記憶部に上記データを書き込む書込手段と、上記書込手段により上記データが書き込まれた上記記憶部上の記憶領域を指定する第２の領域指定情報を、上記記録媒体指定情報および上記第１の領域指定情報に関連付けて上記記憶部に記録する記録手段と、を備えている。【００２０】
本発明に係る録画方法は、記憶部を有するドライブ装置を備え、上記ドライブ装置には記録媒体を装填可能であり、複数の上記記録媒体のいずれかを録画先として指定する記録媒体指定情報を含む予約録画情報に基づいて、番組を上記ドライブ装置に録画させる番組録画装置における録画方法であって、上記記録媒体指定情報および当該記録媒体指定情報により指定された記録媒体上の記憶領域を指定する第１の領域指定情報を含む書き込み命令を、上記番組を表すデータと共に上記ドライブ装置に与える入力ステップと、上記記憶部に上記データを書き込む書込ステップと、上記書込ステップにおいて上記データが書き込まれた上記記憶部上の記憶領域を指定する第２の領域指定情報を、上記記録媒体指定情報および上記第１の領域指定情報に関連付けて上記記憶部に記録する記録ステップと、を含む。【００２１】
これによって、本発明に係る番組録画装置では、記録媒体指定情報により指定された記録媒体が装填されていない場合であっても、あたかも指定された記録媒体が装填されているかのごとくデータを処理することができる効果を奏する。つまり、複数の記録媒体が常にあたかも装填されているかのごとくデータを処理することができる効果を奏する。
【図面の簡単な説明】
【００２２】
【図１】実施の形態に係るレコーダ装置の要部構成を示すブロック図である。
【図２】ドライブ部に備えられた記憶部の初期化処理を示す図であり、（ａ）は記憶部の初期化の際の表示装置における表示の一例を示す図であり、（ｂ）は初期化処理後の記憶部を模式的に示す図である。
【図３】光ディスクの登録処理を示す図であり、（ａ）は光ディスクの登録処理の際の表示装置における表示の一例を示した図であり、（ｂ）は光ディスクの登録処理後の記憶部を模式的に示した図である。
【図４】実施の形態に係るレコーダ装置における予約登録処理を示す図であり、（ａ）は予約登録処理後の記憶部の状態を模式的に示した図であり、（ｂ）は予約登録処理後の記憶部およびマイディスクの状態を模式的に示した図であり、（ｃ）は予約登録処理の際の表示装置における表示の一例を示した図である。
【図５】マイディスクが装填されている状態での録画処理を示す図であり、（ａ）は録画処理後の記憶部およびマイディスクの状態を模式的に示した図であり、（ｂ）は録画処理後の記憶部の状態を模式的に示した図である。
【図６】コンテンツ１を録画した際の各記憶部の状態を示す図であり、（ａ）は領域１におけるコンテンツの記録状態に対応するディスク１の記録状態の対応関係を示す図であり、（ｂ）はコンテンツ１を記録した際のマップテーブルを示す図であり、（ｃ）はコンテンツ１を記録した際のタイトル管理テーブルを示す図である。
【図７】実施の形態に係るレコーダ装置においてマイディスクが装填されていない状態での録画処理を示す図であり、（ａ）は録画処理後の記憶部の状態を模式的に示した図であり、（ｂ）は録画処理後の記憶部の状態を模式的に示した図である。
【図８】コンテンツ２を録画した際の各記憶部の状態を示す図であり、（ａ）は領域１におけるコンテンツの記録状態に対応するディスク１の記録状態の対応関係を示す図であり、（ｂ）はコンテンツ２を記録した際のマップテーブルを示す図であり、（ｃ）はコンテンツ２を記録した際のタイトル管理テーブルを示す図である。
【図９】コンテンツの同期処理後の記憶部およびディスク１の状態を示す図である。
【図１０】コンテンツ２を同期処理した際の各記憶部の状態を示す図であり、（ａ）は領域１におけるコンテンツの記録状態に対応するディスク１の記録状態の対応関係を示す図であり、（ｂ）はコンテンツ２を同期処理させた際のマップテーブルを示す図であり、（ｃ）はコンテンツ２を同期処理させた際のタイトル管理テーブルを示す図である。
【図１１】コンテンツ２を同期処理した際の各記憶部の状態を示す図であり、（ａ）は仮想ディスクイメージにおけるコンテンツ２の先頭アドレスを先頭アドレスとするコンテンツ３がディスク１に記録されている状態を示す図であり、（ｂ）はコンテンツ２をコンテンツ３に続くように仮想ディスクイメージを変更した状態を示す図であり、（ｃ）はコンテンツ２を同期処理させた際のマップテーブルを示す図であり、（ｄ）はコンテンツ２を同期処理させた際のタイトル管理テーブルを示す図である。
【図１２】領域１に記録されていたコンテンツ１およびコンテンツ２を削除した後に、新たにコンテンツ４を録画したときの記憶部およびディスク１の状態を示す図である。
【図１３】コンテンツ４を録画した際の各記憶部の状態を示す図であり、（ａ）は領域１におけるコンテンツの記録状態に対応するディスク１の記録状態の対応関係を示す図であり、（ｂ）はコンテンツ４を記録した際のマップテーブルを示す図であり、（ｃ）はコンテンツ４を記録した際のタイトル管理テーブルを示す図である。
【図１４】コンテンツ１〜３を記録したディスク１が装填されている場合の各記憶部の状態を示す図である。
【図１５】マイディスクが装填されている場合において、再生時にコンテンツが読み出される媒体を模式的に示した図である。
【図１６】ドライブ部に光ディスクが装填されていない場合の各記憶部の状態を示す図である。
【図１７】マイディスクが装填されていない場合において、再生時にコンテンツが読み出される媒体を模式的に示した図である。
【図１８】マイディスクが装填されている場合において、コンテンツが編集される媒体を模式的に示した図である。
【図１９】コンテンツが編集される媒体を模式的に示した図であり、（ａ）はディスク１が装填されていないときの編集対象となる媒体を示しており、（ｂ）はディスク１が装填されたときの変更箇所のディスク１への反映を示している。
【図２０】実施の形態に係るレコーダ装置におけるメモリ内コピー処理を示す図であり、（ａ）は、メモリ内コピー処理後の記憶部の状態を示す図であり、（ｂ）はメモリ内コピー処理後の記憶部におけるタイトル管理領域の状態を示す図である。
【図２１】ファイルシステムを用いたデータ管理を示す図であり、（ａ）はファイルシステム管理領域に記録されたファイルシステムの一例を示し、（ｂ）は領域１におけるコンテンツの記録状態に対応するディスク１の記録状態の対応関係を示し、（ｃ）はコンテンツ１を構成するファイルのマップテーブルを示す図である。
【図２２】表示装置におけるコンテンツおよびタイトルリストに記録されている情報の表示を概略的に示す図である。
【図２３】他の実施の形態に係るレコーダ装置において、領域の無効化処理後の記憶部を模式的に示した図である。
【図２４】さらに他の実施の形態に係るレコーダ装置において、コンテンツ１を録画した際の各記憶部の状態を示す図であり、（ａ）は領域１におけるコンテンツの記録状態に対応するディスク１の記録状態の対応関係を示す図であり、（ｂ）はコンテンツ１を記録した際のマップテーブルを示す図であり、（ｃ）はコンテンツ１を記録した際のタイトル管理テーブルを示す図である。
【図２５】さらに他の実施の形態に係るレコーダ装置において、光ディスクの仮の登録処理後のバックエンド部の記憶部を模式的に示した図である。
【図２６】さらに他の実施の形態に係るレコーダ装置において、予約登録処理後のバックエンド部の記憶部の状態を模式的に示した図である。
【発明を実施するための形態】
【００２３】
〔実施形態１〕
本実施形態に係るレコーダ装置に備えられているドライブ装置は、光ディスクにデータを書き込むか、あるいは光ディスクからデータを読み出す装置として実現されているので、以下ではこれを光ディスクドライブ装置と称する。光ディスクとしては、ＢＤ（Blu-ray Disc）、ＤＶＤ（Digital Versatile Disc）、ＣＤ（Compact Disc）などが想定される。ただし、本発明はこれに限定されず、フレキシブルディスク、光磁気ディスクなど、着脱可能な記録媒体にデータを書き込むドライブ装置一般に適用することができる。
【００２４】
本発明に係るレコーダ装置の構成および当該レコーダ装置の動作の概要について、以下に説明する。なお、本実施形態に係るレコーダ装置（番組録画装置）は、コンテンツをリムーバブルな光ディスク（記録媒体）に記録する記録機能だけでなく、光ディスクに記録されているコンテンツおよび外部より取得したコンテンツを再生する再生機能を有するレコーダ装置である。また、レコーダ装置は、予約録画情報に基づいて番組を録画する。
【００２５】
＜レコーダ装置１００の構成＞
本実施形態に係るレコーダ装置の構成について、図１を参照しつつ以下に説明する。図１は、レコーダ装置１００の要部構成を示すブロック図である。
【００２６】
図１に示すように、レコーダ装置１００は、レコーダ装置１００に入力されるコンテンツの再生または記録（録画）全般を実行するバックエンド部２００、ならびに、装填されている光ディスクからのデータの読み出し、および装填されている光ディスクに対するデータの書き込み全般を実行するドライブ部（ドライブ装置）３００を備えている。
【００２７】
ドライブ部３００は、従来の光ディスクドライブ装置が備えている機能に加え、以下の新規な機能を有している。すなわち、（１）ユーザーにより指定された複数の光ディスクをマイディスクとして登録する登録機能、（２）マイディスクとして登録された光ディスクに対する書き込み命令がバックエンド部２００から与えられたとき、その光ディスクにデータを書き込むと共に、ドライブ部３００内に設けられたメモリにデータを書き込む書き込み機能、（３）マイディスクに対する読み出し命令がバックエンド部２００から与えられたときに、その光ディスクからデータを読み出す代わりに、上記メモリからデータを読み出す読み出し機能、および、（４）マイディスクとして登録された光ディスクに書き込む代わりに上記メモリに書き込まれたデータをその光ディスクに書き込み、上記メモリと上記光ディスクとに記録されているデータを同期させる同期機能を有している。そして、バックエンド部２００は、これらの新規な機能を利用して、コンテンツの録画、再生、および編集を行なう。以下、このようなバックエンド部２００およびドライブ部３００の構成例について、以下に順に説明する。
【００２８】
バックエンド部２００は、図１に示すように、チューナー部２１０、エンコーダ部２２０、ストリーム処理部２３０、バックエンド制御部２４０、デコーダ部２６０、画像処理部２７０、バッファ部２５０、記憶部２８０およびインターフェース部２９０を備えている。また、図１に示すように、ストリーム処理部２３０、バックエンド制御部２４０、デコーダ部２６０、画像処理部２７０、バッファ部２５０、記憶部２８０およびインターフェース部２９０は、バスラインを介して互いに接続されている。
【００２９】
ドライブ部３００は、図１に示すように、インターフェース部３１０、ドライブ制御部３２０、ディスクドライブ部３３０および記憶部３４０を備えている。また、図１に示すように、インターフェース部３１０、ドライブ制御部３２０、ディスクドライブ部３３０および記憶部３４０は、バスラインを介して互いに接続されている。
【００３０】
本明細書等では、記憶部３４０における各領域に対して対応付けられた光ディスク、すなわち自身の有するメディアＩＤが記憶部３４０に記録されている光ディスクを「マイディスク」と称する。マイディスクと各領域は一対一で対応する。なお、メディアＩＤは、個々の光ディスクがもつ固有の識別子である。
【００３１】
バックエンド部２００およびドライブ部３００の備える各部材について、以下に説明する。
【００３２】
（チューナー部２１０、エンコーダ部２２０）
チューナー部２１０は、アンテナ部において受信したデジタル放送波（例えば、ＢＳデジタル放送、ＣＳデジタル放送、地上波デジタル放送）から、映像データ、音声データなどが多重化されているストリーム（Transport Stream：ＴＳ）を抽出する。
【００３３】
エンコーダ部２２０は、アンテナ部において受信したアナログ放送、または、外部から入力された映像／音声信号をＭＰＥＧ２−ＴＳ形式またはＭＰＥＧ２−ＰＳ形式にエンコードする。
【００３４】
（ストリーム処理部２３０、バッファ部２５０）
ストリーム処理部２３０は、抽出されたストリームまたはエンコードされたストリームに多重化されている映像データ、音声データなどの個々のデータを分離、抽出すると共に、同じパケット識別子（ＰＩＤ）が付与されているパケット（ＴＳ）のペイロード部を繋ぎ合わせることにより、コンテンツデータ（ＰＥＳパケット）を復元する。また、不図示の通信部によりネットワークを介して入力されるコンテンツデータもストリーム処理部２３０において処理される。
【００３５】
なお、ストリーム処理部２３０において処理されたコンテンツデータは、一時的にバッファ部２５０に格納される。バッファ部２５０は、表示装置またはドライブ部３００に対して出力するコンテンツデータ（映像データ、音声データなど）を一時的に記憶するメモリである。バッファ部２５０は、揮発メモリを用いることが一般的であるが、不揮発性メモリを用いてもよい。
【００３６】
（バックエンド制御部２４０）
バックエンド制御部２４０は、レコーダ装置１００におけるコンテンツデータの記録および再生全般を制御する。
【００３７】
ストリーム処理部２３０において復元したコンテンツデータを、ドライブ部３００に装填されている光ディスクに対して記録する場合、バックエンド制御部２４０は、光ディスクに書き込むための書き込み命令をインターフェース部２９０を介してドライブ制御部３２０に出力すると共に、書き込み対象とするコンテンツデータをバッファ部２５０から読み出してインターフェース部２９０を介してドライブ部３００に対して出力する。
【００３８】
ドライブ部３００に装填されている光ディスクに記録されているコンテンツデータを再生する場合、バックエンド制御部２４０は、ドライブ部３００に対して、コンテンツデータを光ディスクから読み出すための読み出し命令を、インターフェース部２９０を介してドライブ制御部３２０に出力する。このとき、光ディスクから読み出されたコンテンツデータは、バッファ部２５０に一時的に格納される。
【００３９】
また、バックエンド制御部２４０は、バッファ部２５０に格納されているコンテンツデータを表示装置に対して出力する場合には、バッファ部２５０から読み出したコンテンツデータをデコードするようデコーダ部２６０を制御する。
【００４０】
（デコーダ部２６０）
デコーダ部２６０は、バックエンド制御部２４０からの指示を受けて、バッファ部２５０に格納されているコンテンツデータのうち、バックエンド部２００内において生成されるクロック（System Time Clock：ＳＴＣ）の値に一致するタイムスタンプ（ＰＴＳ）が付与されているコンテンツデータを読み出す。そして読み出したコンテンツデータをデコードし、画像処理部２７０に出力する。
【００４１】
（画像処理部２７０）
画像処理部２７０は、フレームレート変換などのような動画像データの表示性能を向上させるため、画素の補間や色調整などの高品質化処理を実行し、高品質化処理を施した動画像データを表示装置（図示しない）に対して出力する。すなわち、画像処理部２７０では、デコーダ部２６０においてデコード（復号）されたフレーム画像から表示装置において実際に表示する際に用いるフレーム画像を生成する。
【００４２】
なお、表示装置に表示する画像に付加情報（例えば、字幕、タイトルリスト、メニュー情報、アイコン等）を重畳する場合には、画像処理部２７０において、高品質化処理を施した動画像データに対して必要な付加情報を重畳する。
【００４３】
（記憶部２８０）
記憶部２８０には、バックエンド制御部２４０を動作させるためのプログラム、および、バックエンド制御部２４０が参照する各種データが格納されている。バックエンド制御部２４０により参照されるデータとしては、予約情報およびタイトル管理情報などが挙げられる。予約情報およびタイトル管理情報の詳細については以下に詳述するため、ここではその説明を省略する。なお、記憶部２８０は、電源をオフにしても記録内容の消去されない不揮発性メモリであることが好ましい。
【００４４】
（インターフェース部２９０、３１０）
インターフェース部２９０は、入力されたデータをインターフェース部３１０を介してドライブ部３００に対して出力する。インターフェース部２９０としては、ＳＡＴＡ（Serial AT attachment）などを挙げることができる。なお、ＡＴＡ（AT attachment）は、転送方式がシリアルのＡＴＡであるＳＡＴＡに限定されるものではなく、転送方式がパラレルのＡＴＡであるＰＡＴＡを用いてもよい。
【００４５】
インターフェース部３１０は、入力されたデータをインターフェース部２９０を介してバックエンド部２５０に対して出力する。インターフェース部３１０も、インターフェース部２９０と同様に、ＳＡＴＡ（Serial AT attachment）などとすることができるが、インターフェース部２９０とインターフェース部３１０とは同一規格のインターフェースであることが好ましい。
【００４６】
なお、本実施形態では、インターフェース部２９０、３１０がＳＡＴＡである場合を例に挙げて説明する。
【００４７】
（ドライブ制御部３２０）
ドライブ制御部３２０は、ディスクドライブ部３３０に装填されている光ディスクからのデータの読み出し、および光ディスクへのデータの書き込みを制御すると共に、記憶部３４０からのデータの読み出し、および記憶部３４０へのデータの書き込みを制御する。
【００４８】
ドライブ制御部３２０では、インターフェース部３１０を介して入力されるバックエンド制御部２４０からの命令（光ディスクからのデータ読み出し命令、または光ディスクへのデータ書き込み命令）を、記憶部３４０からのデータ読み出し命令、または記憶部３４０へのデータ書き込み命令に読み換える。しかし、バックエンド制御部２４０からの命令が、記憶部３４０に記憶されていないデータに対する読み出し命令である場合には、ドライブ制御部３２０はバックエンド制御部２４０からの命令を読み換えることなく、装填されている光ディスクからデータを読み出す。
【００４９】
インターフェース部２９０、３１０がＡＴＡインターフェースである場合、バックエンド制御部２４０からの書き込み命令および読み出し命令は、ＡＴＡコマンドとなる。また、本実施形態では、所定の領域に対するデータの書き込み命令を実現するために、記憶部３４０におけるいずれの領域（後述するマイディスクに対応する領域）に対してデータを書き込むのかを表す情報（ディスク指定情報）をＡＴＡコマンドに含めてドライブ制御部３２０に出力するようにすることが好ましい。もちろん、書き込み対象領域情報を含めたＡＴＡコマンドを用いる以外にも、書き込み対象領域情報を示すＡＴＡコマンドを出力して記憶部３４０の記録対象領域（対象マイディスク）を指定した後に、書き込み命令および書き込み対象データを表すＡＴＡコマンドをドライブ制御部３４０に出力するようにしてもよい。いずれの場合であっても、書き込み命令は、ディスク指定情報（記録媒体指定情報）とデータを書き込むべき領域を指定するアドレス（第１の領域指定情報）とを含むことになる。なお、書き込みの対象となるデータは、書き込み命令と共にバックエンド部２００からドライブ部３００へと出力される。
【００５０】
なお、これは書き込み命令に限るものではなく、読み出し命令についても同様である。
【００５１】
（ディスクドライブ部３３０）
ディスクドライブ部３３０は、ドライブ制御部３２０からの指示に基いて動作し、装填されている光ディスクからのデータの読み出し、または光ディスクに対するデータの書き込みを実行する。
【００５２】
ディスクドライブ部３３０は、装填されている光ディスクからデータを読み出したり、光ディスク対してデータを書き込んだりするための光ピックアップ部などを備えている。
【００５３】
（記憶部３４０）
記憶部３４０は、レコーダ装置１００において光ディスクに対して記録するコンテンツデータなどのデータを記憶するデータメモリである。記憶部３４０におけるコンテンツデータの記録については、下記に詳述するため、ここではその説明を省略する。
【００５４】
なお、記憶部３４０は、光ディスクよりもデータアクセス速度が速いものであれば特に限定されるものではないが、電源をオフにしても記録内容の消去されない不揮発性メモリであることが好ましい。より具体的にはフラッシュメモリを用いることが好ましい。
【００５５】
（レコーダ装置１００の処理動作）
次に、レコーダ装置１００の再生動作、録画動作、ダビング動作などについて説明するが、これらのレコーダ装置１００における各動作の説明に先立って、レコーダ装置１００における事前設定について、図２の（ａ）および図２の（ｂ）および図３の（ａ）および図３の（ｂ）を参照して説明する。レコーダ装置１００における事前設定は、記憶部３４０の初期化処理と、記憶部３４０に対する光ディスクの登録処理の２つに大別することができる。
【００５６】
＜記憶部３４０の初期化処理＞
記憶部３４０の初期化処理について、図２の（ａ）および図２の（ｂ）を参照しつつ説明する。図２の（ａ）および図２の（ｂ）は、記憶部３４０の初期化処理を示す図であり、図２の（ａ）は記憶部３４０の初期化の際の表示装置における表示の一例を示す図であり、図２の（ｂ）は初期化処理後の記憶部３４０を模式的に示す図である。
【００５７】
記憶部３４０の初期化処理とは、記憶部３４０における記憶領域を、ユーザーの所望する数のパーティションに仮想的に（論理的に）分割する処理である。なお、記憶部３４０の初期化処理は、記憶部３４０において記憶領域が仮想的に分割されていない場合にのみ実行される処理であるため、既に記憶部３４０における初期化処理が行われている場合には初期化処理は実行されない。
【００５８】
初期化処理は、操作入力部を介したユーザーからの初期化処理の実行指示を受けることにより実行される。すなわち、バックエンド制御部２４０がユーザーからの初期化処理実行指示を受けると、バックエンド制御部２４０はドライブ制御部３２０に対して、記憶部３４０の記憶領域をユーザーの指定する数に仮想的に分割するように指示する。バックエンド制御部２４０からの指示を受けたドライブ制御部３２０は、記憶部３４０を指定された数の領域（パーティション）に仮想的に分割する。記憶部３４０において分割される領域の数は、登録することができるマイディスクの枚数と一致する。このとき、表示装置には、図２の（ａ）に示すような画像を表示することが好ましい。
【００５９】
なお、記憶部３４０において仮想的に分割される領域の数は、例えば「ｎ個（枚）」などのようにユーザーにより明示的に指示された数であってもよいし、ユーザーの所望する録画画質に応じて設定される数であってもよい。
【００６０】
図２の（ｂ）は、初期化処理後の記憶部３４０を示している。図２の（ｂ）に示すように、記憶部３４０は、ユーザーの所望するｎ個の領域（領域１〜領域ｎ）に仮想的に分割されている。また、領域１〜ｎ以外にも記憶部３４０には、領域１〜領域ｎを管理する管理情報の記録されている管理領域が設けられている。
【００６１】
管理領域は、図２の（ｂ）に示すように、領域１〜領域ｎを管理するマイディスク管理領域と、マイディスク管理領域を管理するメモリ管理領域と、に分けることができる。
【００６２】
マイディスク管理領域には、領域１〜領域ｎの各領域を管理する管理情報が記録されている。図２の（ｂ）では、便宜上、領域１を管理する管理情報の記録されている領域を「エントリ１」と称し、以下同様に領域２〜ｎを管理する管理情報の記録されている領域をエントリ２〜ｎと称する。
【００６３】
領域１を管理するエントリ１には、エントリ番号、割り当てフラグ、メディアＩＤ情報、割り当てエリア情報、メディアキー情報およびマップ情報が記録されている。これらの各情報について以下に説明する。
【００６４】
「エントリ番号」は、いずれの領域を管理するのかを示す情報である。例えば、エントリ１は、領域１を管理する管理情報であるため、エントリ番号としては「１」を示す情報が記録されている。
【００６５】
「割り当てフラグ」は、マイディスクが対応付けられている領域であるか否かを示すフラグである。初期化処理直後の状態では、マイディスクの対応付けは行われていないため、割り当てが行われていないことを示す情報（ここでは、「０」）が記録されている。
【００６６】
「メディアＩＤ」は、光ディスクのメディアＩＤを示す情報である。初期化処理段階では、メディアＩＤの情報は記録されていない。メディアＩＤの情報の記録については、後述の光ディスクの登録処理において説明する。
【００６７】
「割り当てエリア情報」は、各領域として利用することができる記憶部３４０の記憶領域を表す情報である。割り当てエリア情報の具体例としては、例えば、各領域の開始アドレスおよび終了アドレスを挙げることができる。また、終了アドレスの代わりに、各領域の記憶容量が記録されていてもよい。
【００６８】
「メディアキー情報」は、データを光ディスクに対して記録するときの著作権保護に用いられる暗号化を実行するためのキー情報である。メディアキー情報としては、例えば、ＭＫＢ（Media Key Block）を挙げることができる。
【００６９】
「マップ情報」は、光ディスクに記録されたコンテンツのそれぞれについて、当該コンテンツが記録される光ディスクの領域を示すアドレスである仮想アドレスと、当該コンテンツが記録されている記憶部３４０上の領域を示すアドレスである物理アドレスとの対応付けを示す情報である。マップ情報として記録されているマップテーブルの詳細については、下記で詳述するため、ここでは説明を省略する。
【００７０】
また、メモリ管理領域には、図２の（ｂ）に示すように、「エントリ数情報」および「割り当てエリア情報」が記録されている。「エントリ数」は、記憶部３４０において仮想的に分割されている領域の数を示す情報である。「割り当てエリア情報」は、記憶部３４０においてマイディスク管理領域として利用されている領域を表す情報である。
【００７１】
なお、記憶部３４０を領域１〜領域ｎに仮想的に分割した時に生じる余りの領域を予備領域として活用するようにしてもよい。
【００７２】
＜光ディスクの登録処理＞
次に、記憶部３４０に対する光ディスクの登録処理について、図３の（ａ）および図３の（ｂ）を参照しつつ説明する。図３の（ａ）および図３の（ｂ）は、光ディスクの登録処理を示す図であり、図３の（ａ）は光ディスクの登録処理の際の表示装置における表示の一例を示した図であり、図３の（ｂ）は光ディスクの登録処理後の記憶部３４０を模式的に示した図である。
【００７３】
光ディスクの登録処理とは、記憶部３４０において仮想的に分割されている各領域を管理するエントリに対して、光ディスクのメディアＩＤを記録する処理である。
【００７４】
光ディスクがドライブ部３００に装填されると、ドライブ制御部３２０は、ディスクドライブ部３３０に対して、装填された光ディスクから当該光ディスクのメディアＩＤを読み出すように指示する。ディスクドライブ部３３０が光ディスクからメディアＩＤを読み出すと、ドライブ制御部３２０は、記憶部３４０において読み出したメディアＩＤがマイディスク管理領域におけるエントリに既に記録されているメディアＩＤであるか否かを判定する。
【００７５】
読み出したメディアＩＤがマイディスク管理領域におけるエントリのいずれにも記録されていない場合、ドライブ制御部３２０は、マイディスク管理領域におけるエントリのうち、割り当てフラグが光ディスクの割り当てが行われていないことを示す「０」であるエントリに、読み出したメディアＩＤを記録する。これによって、エントリにおいてメディアＩＤ情報（識別情報）が記録される。なお、メディアＩＤ情報の記録されたエントリにおける割り当てフラグは、メディアＩＤ情報が記録された時点で、割り当てが行われていることを示す「１」に変更される。また、メディアキー情報などの光ディスク固有の情報についても、この時点でメディアＩＤ情報を記録したエントリに対して記録される。
【００７６】
なお、上述した光ディスクの登録処理は、読み出したメディアＩＤが割り当てフラグが「０」であるエントリに自動的に記録される場合を説明しているが、実際にはレコーダ装置１００が、当該メディアＩＤをエントリに記録するか否かをユーザーに問い合わせることが好ましい。この場合、ドライブ制御部３２０は、レコーダ装置１００にメディアＩＤをエントリに記録するとするユーザーからの指示を受けてメディアＩＤを記録する。
【００７７】
また、割り当てフラグが「０」であるエントリが複数存在する場合には、いずれのエントリに対してメディアＩＤを記録するのかをユーザーが選択できるようにしてもよい。この場合、ドライブ制御部３２０は、ユーザーにより指定されたエントリに対してメディアＩＤを記録する。
【００７８】
なお、メディアＩＤをエントリに記録する際には、表示装置に図３の（ａ）に示すような画像を表示するようにすることが好ましい。
【００７９】
図３の（ｂ）は、メディアＩＤ「ａａａ」を有する光ディスクをエントリ１に記録した場合における光ディスクの登録後の記憶部３４０の状態を示している。
【００８０】
光ディスクのメディアＩＤをエントリ１に記録した場合、図３の（ｂ）に示すように、光ディスクはエントリ１により管理される領域１に対して対応付けられることになる。
【００８１】
本明細書等では、記憶部３４０における各領域に対して対応付けられた光ディスク、すなわち自身の有するメディアＩＤが記憶部３４０に記録されている光ディスクを「マイディスク」と称する。また、マイディスクを識別するために、ここでは、領域１に対応付けられたマイディスクを「ディスク１」と称する。以下同様に、領域２〜ｎに対応付けられたマイディスクを「ディスク２〜ｎ」と称する。
【００８２】
＜コンテンツの予約録画動作＞
上述した事前設定の完了しているレコーダ装置１００におけるコンテンツ録画動作、コンテンツ再生動作、コンテンツ編集動作、およびコンテンツコピー動作について、以下に説明する。
【００８３】
レコーダ装置１００におけるコンテンツ録画動作について、図４の（ａ）〜（ｃ）〜図１３の（ａ）〜（ｃ）を参照して以下に説明する。なお、ここでは、コンテンツ録画動作として、予約録画処理を例に挙げて説明する。
【００８４】
レコーダ装置１００における予約録画処理は、予約登録処理と録画処理との２つに大別することができる。また、録画処理は、マイディスクが装填されている状態での録画処理と、マイディスクが装填されていない状態での録画処理の２つにさらに分けることができる。予約録画処理におけるこれらの処理それぞれについて以下に説明する。
【００８５】
（予約登録処理）
まず、レコーダ装置１００における予約登録処理について、図４の（ａ）〜（ｃ）を参照しつつ以下に説明する。図４の（ａ）〜（ｃ）は、レコーダ装置１００における予約登録処理を示す図であり、図４の（ａ）は予約登録処理後の記憶部２８０の状態を模式的に示した図であり、図４の（ｂ）は予約登録処理後の記憶部３４０およびマイディスク１の状態を模式的に示した図であり、図４の（ｃ）は予約登録処理の際の表示装置における表示の一例を示した図である。
【００８６】
予約登録処理とは、記憶部２８０および光ディスクに対して予約情報を登録する処理である。予約登録処理については、記憶部３４０の領域１に対応付けられたディスク１を装填している場合を例に挙げて説明する。
【００８７】
ユーザーが操作入力部を介して予約情報を入力すると、バックエンド制御部２４０は、入力された予約情報を記憶部２８０の予約情報管理領域に記録する。このとき、記憶部２８０の予約情報管理領域に記録される予約情報は、図４の（ａ）に示すように、「録画チャンネル」、「録画年月日」および「録画時間」と共に、「記録対象マイディスク」の情報を含む。以下、記録対象マイディスク情報として、装填されているマイディスクのメディアＩＤを例に挙げて説明するが、マイディスクを識別可能な情報であれば他の情報であってもよい。なお、予約情報に含まれる各情報は、ユーザーが入力するようにしてもよいし、電子番組表においてユーザーが選択した番組を表す番組情報に基づいて設定するようにしてもよい。
【００８８】
バックエンド制御部２４０は、予約情報を記憶部２８０に記録すると共に、ドライブ制御部３２０に対して、ドライブ部３００に装填されているディスク１に対して予約情報を書き込むように指示する。ドライブ制御部３２０は、バックエンド制御部２４０からの指示を受けて、ユーザーの設定した予約情報を、ディスク１に記録するようにディスクドライブ部３３０に対して指示する。ディスクドライブ部３３０は、ドライブ制御部３２０からの指示を受けて、ユーザーの設定した予約情報をディスク１の所定の領域（予約情報管理領域）に記録する（図４の（ｂ））。このとき、ディスク１には、既にメディアＩＤは記録されているため、メディアＩＤについては記録しなくてもよい。
【００８９】
なお、予約情報の設定の際にユーザーが記録対象マイディスクを選択することができるようにしてもよい。この場合、ユーザーの選択した記録対象マイディスクがドライブ部３００に装填されていない場合には、予約情報の登録時点で、対象とするマイディスクをドライブ部３００に装填するようにユーザーに対して警告するようにすることが好ましい。
【００９０】
図４の（ｃ）には、記憶部３４０の領域１に対応付けられたディスク１を装填している場合に予約登録した際の表示装置に表示する画像の一例を示している。
【００９１】
（マイディスクが装填されている場合の録画処理）
次に、記憶部２８０の予約情報管理領域に記録されている予約情報に含まれているメディアＩＤのマイディスクがドライブ部３００に装填されている場合の録画処理について、図５の（ａ）および図５の（ｂ）を参照しつつ以下に説明する。図５の（ａ）および図５（ｂ）は、マイディスクが装填されている状態での録画処理を示す図であり、図５の（ａ）は録画処理後の記憶部３４０およびマイディスク１の状態を模式的に示した図であり、図５の（ｂ）は録画処理後の記憶部２８０の状態を模式的に示した図である。
【００９２】
コンテンツ１の録画が完了すると、図５の（ｂ）に示すように、バックエンド制御部２４０は、コンテンツ１の予約録画を示す予約情報を記憶部２８０における予約情報管理領域から消去する。また、コンテンツ１のディスク１への記録が完了すると、ドライブ制御部３２０はディスク１の予約情報管理領域に記録されている予約情報を消去するようにディスクドライブ部３３０に対して指示する。
【００９３】
次に、コンテンツ１を記憶部３４０の領域１およびディスク１に記録した際の記憶部３４０および記憶部２８０の状態について図６の（ａ）〜（ｃ）を参照しつつ以下に説明する。図６（ａ）〜（ｃ）は、コンテンツ１を録画した際の記憶部３４０および記憶部２８０の状態を示す図であり、図６の（ａ）は記憶部３４０の領域１におけるコンテンツの記録状態に対応するディスク１の記録状態の対応関係を示す図であり、図６の（ｂ）はコンテンツ１を記録した際のマップテーブルを示す図であり、図６の（ｃ）はコンテンツ１を記録した際のタイトル管理テーブルを示す図である。
【００９４】
ここで、一般的には、記憶部３４０の領域１とディスク１とのデータ容量は異なる。そのため、領域１では、物理アドレスとは別に、ディスク１におけるアドレス（第１の領域指定情報）と一致するような仮想アドレスが割り当てられている。この仮想アドレスを用いてデータを読み出したり、書き込んだりすることにより、バックエンド部２００では、記憶部３４０に格納されているコンテンツをドライブ部３００に装填されているディスク１に記録されているかのように扱うことができる。本明細書等では、記憶部３４０の各領域に設定された仮想アドレスを用いて表される記憶領域を「仮想ディスクイメージ」と称する。
【００９５】
図６の（ａ）には、記憶部３４０の領域１における仮想ディスクイメージを示している。図６の（ａ）に示すように、記憶部３４０の領域１において、物理アドレス（第２の領域指定情報）「０ｘ０００」を先頭アドレスとしてコンテンツ１（データ容量：ＸＧＢ）が記録されている場合、仮想ディスクイメージ上では、コンテンツ１は仮想アドレス「０ｘ０５０」を先頭アドレスとして記録されている。すなわち、コンテンツ１をディスク１に対して書き込む場合、ドライブ制御部３２０は、ディスクドライブ部３３０に対して、ディスク１のアドレス「０ｘ０５０」を表すセクタからコンテンツ１を書き込むように指示する。これによって、領域１からディスク１に対するコンテンツの記録を容易に実行することができる。
【００９６】
続いて、図６の（ａ）において示した物理アドレスと仮想アドレスとの関連付けを実現するためのマップテーブルについて、図６の（ｂ）を参照しつつ説明する。
【００９７】
マップテーブルは、記憶部３４０のマイディスク管理領域におけるマップ情報として記録されている。マップテーブルは、図６の（ｂ）に示すように、コンテンツ毎に、仮想ディスクイメージにおけるマップを表す仮想ディスクマップと、記憶部３４０の領域１におけるマップを表すメモリマップとが関連付けられて記録されている。また、コンテンツに対して、当該コンテンツがマイディスクに記録されているか否かを表す同期フラグが関連付けられて記録されている。
【００９８】
なお、本明細書等において記憶部３４０のある領域に記録されているコンテンツが、当該ある領域に対応付けられたマイディスクに記録されている状態のことを「同期」と称する。同様に、記憶部３４０のある領域に記録されているコンテンツを、当該ある領域に対応付けられたマイディスクに対して記録される処理を「同期処理」と称する。
【００９９】
マップテーブルは、コンテンツ１が領域１に記録されると共に内容が更新される。記憶部３４０の領域１が図６の（ａ）に示す状態である場合のマップテーブルを、図６の（ｂ）に示す。図６の（ｂ）に示すように、マップテーブルは、コンテンツ１における仮想ディスクマップにおける先頭アドレスとして「０ｘ０５０」が設定され、データサイズとしてＸＧＢが設定され、メモリマップにおける先頭アドレスとして「０ｘ０００」が設定され、データサイズとしてＸＧＢが設定されている。また、領域１からディスク１への書き込みが完了すると共に、マップテーブルにおける同期フラグが、コンテンツがマイディスクに記録されていることを表す「１」となる。
【０１００】
このようなマップテーブルを参照することにより、バックエンド制御部２４０からディスク１への書き込み命令を受けたドライブ制御部３２０は、バックエンド制御部２４０から受けたディスク１への書き込み命令を領域１への書き込み命令に変更することができる。また、ディスク１からの読み出し命令の場合も同様に、マップテーブルを参照することにより、領域１からの読み出し命令に変更することができる。
【０１０１】
なお、図６の（ｂ）におけるエントリパラメータとは、エントリ番号、メディアＩＤ情報、割り当てエリア情報などを記録する領域であり、エントリデータ領域とは、メディアキー情報および領域１におけるトラック情報などを記録する領域である。
【０１０２】
また、コンテンツ１が領域１に記録されると共に、記憶部２８０におけるディスク１のタイトル管理領域にタイトル管理情報として記録されているタイトル管理テーブルが更新される。コンテンツ１に関する情報が設定されるコンテンツ管理領域に記録されているタイトル管理テーブルについて、図６の（ｃ）を参照して説明する。なお、タイトル管理領域は、記憶部３４０において仮想的に分割されている領域の数だけ記憶部２８０に設けられている。
【０１０３】
タイトル管理テーブルには、図６の（ｃ）に示すように、各コンテンツを示すタイトル名に対して、コンテンツの再生所要時間、コンテンツの再生画質、コンテンツの残りダビング回数（最大で１０とする）および同期状態を示す情報が関連付けられて記録されている。なお、コンテンツ１を示すタイトルをタイトル１として表記する。同様に、コンテンツ２〜コンテンツｎを示すタイトルをタイトル２〜タイトルｎとして表記する。
【０１０４】
図６の（ｂ）に示したマップテーブルを設定したときのタイトル管理テーブルの一例を、図６の（ｃ）に示している。このとき、タイトル１における残りダビング回数は、コンテンツ１をディスク１へ記録したため、残り１０回から１回減算されて「９」回となっている。
【０１０５】
（マイディスクが装填されていない場合の録画処理）
続いて、記憶部２８０の予約情報管理領域に記録されている予約情報に含まれているメディアＩＤのマイディスクがドライブ部３００に装填されていない場合の録画処理について、図７の（ａ）および図７の（ｂ）を参照しつつ以下に説明する。図７の（ａ）および図７の（ｂ）は、レコーダ装置１００においてマイディスクが装填されていない状態での録画処理を示す図であり、図７の（ａ）は録画処理後の記憶部３４０の状態を模式的に示した図であり、図７の（ｂ）は録画処理後の記憶部２８０の状態を模式的に示した図である。
【０１０６】
レコーダ装置１００において、記憶部２８０の予約情報管理領域に記録されている予約情報により録画されるコンテンツ（コンテンツ２）の録画が開始された時点でドライブ部３００にディスク１が装填されていない場合であっても、バックエンド制御部２４０はコンテンツ２をディスク１に対して記録するようにドライブ制御部３２０に対して指示する。バックエンド制御部２４０からの指示を受けたドライブ制御部３２０は、ディスクドライブ部３２０にディスク１が装填されていないため、バックエンド部２４０からのディスク１への書き込み命令を記憶部３４０の領域１への書き込み命令に変換し、コンテンツ２を領域１に記録する。このとき、ディスク１はドライブ部３００に装填されていないため、ディスク１に対してコンテンツ２を記録する処理は実行されない。
【０１０７】
コンテンツ２の録画が終了すると、図７の（ｂ）に示すように、バックエンド制御部２４０は記憶部２８０における予約情報管理領域からコンテンツ２の予約録画を示す予約情報を消去する。
【０１０８】
次に、コンテンツ２を記憶部３４０の領域１に記録した際の記憶部３４０および記憶部２８０の状態について図８の（ａ）〜（ｃ）を参照しつつ以下に説明する。図８の（ａ）〜（ｃ）は、コンテンツ２を録画した際の記憶部３４０および記憶部２８０の状態を示す図であり、図８の（ａ）は記憶部３４０の領域１におけるコンテンツの記録状態に対応するディスク１の記録状態の対応関係を示す図であり、図８の（ｂ）はコンテンツ２を記録した際のマップテーブルを示す図であり、図８の（ｃ）はコンテンツ２を記録した際のタイトル管理テーブルを示す図である。
【０１０９】
図８の（ａ）に示すように、記憶部３４０の領域１における物理アドレス「０ｘ０００」を先頭アドレスとしてコンテンツ１（データ容量：ＸＧＢ）が記録されているため、コンテンツ２（データ容量：ＸＧＢ）は、記憶部３４０の領域１における物理アドレス「０ｘ２００」を先頭アドレスとしてコンテンツ１に続けて記録される。このとき、コンテンツ２は、仮想ディスクイメージ上でも、仮想アドレス「０ｘ２５０」を先頭アドレスとしてコンテンツ１に続けて記録される。ディスク１はドライブ部３００に装填されていないため、当然ながらコンテンツ２はディスク１に対して記録されていない。
【０１１０】
コンテンツ２が領域１に記録されると共に、記憶部３４０のエントリ１におけるマップ情報に記録されているマップテーブルも更新される。記憶部３４０の領域１が図８の（ａ）に示す状態のマップテーブルを、図８の（ｂ）に示す。図８の（ｂ）に示すように、図６の（ｂ）に示したマップテーブルに加えて、コンテンツ２における仮想ディスクマップにおける先頭アドレスとして「０ｘ２５０」が設定され、データサイズとしてＸＧＢが設定され、メモリマップにおける先頭アドレスとして「０ｘ２００」が設定され、データサイズとしてＸＧＢが設定される。このとき、領域１からディスク１への書き込みは実行されないため、マップテーブルにおけるコンテンツ２の同期フラグは、コンテンツがマイディスクに記録されていないことを表す「０」となっている。
【０１１１】
また、図８の（ｃ）には、図８の（ｂ）に示したマップテーブルが設定されたときのタイトル管理テーブルの一例を示している。図８の（ｃ）に示すように、タイトル管理テーブルでは、図６の（ｃ）に示したコンテンツ１を示すタイトル１のタイトル管理情報に加えて、コンテンツ２を示すタイトル２のタイトル管理情報が加えられる。このとき、タイトル２は、ディスク１に対して記録されていないため、タイトル２における残りダビング回数は「１０」回のままであり、同期状態は未同期を示す情報である。
【０１１２】
（コンテンツの同期処理）
次に、記憶部３４０に記録されたコンテンツであってマイディスクに対して記録されていないコンテンツを、マイディスクに対して記録する同期処理について、図９〜図１１の（ａ）〜（ｃ）を参照して以下に説明する。
【０１１３】
ディスク１がドライブ部３００に装填されると、ドライブ制御部３２０は、エントリ１のマップテーブルを参照して、同期フラグが「０」であるコンテンツがあるか否かを判定する。例えば、同期フラグが「０」であるコンテンツ２が存在する場合、ドライブ制御部３２０は、記憶部３４０の領域１に記録されているコンテンツ２を、ディスク１に記録する（書き出す）ようにディスクドライブ部３３０に対して指示する。ディスクドライブ部３３０は、ドライブ制御部３２０からの指示を受けて記憶部３４０の領域１に記録されているコンテンツ２をディスク１に書き出す。これによって、記憶部３４０の領域１に記録されているコンテンツ１およびコンテンツ２がいずれもディスク１にも記録されている状態になる（図９）。すなわち、コンテンツ２は同期状態となる。
【０１１４】
ドライブ制御部３２０は、ディスク１に対するコンテンツ２の書き出しが完了すると、バックエンド部３００に対してコンテンツ２の同期処理が完了したことを通知する。バックエンド制御部２４０は、この通知を受けて、記憶部２８０におけるディスク１のタイトル管理領域に記録されているタイトル管理テーブルを更新する。
【０１１５】
また、ドライブ制御部３２０は、ディスク１に対するコンテンツ２の書き出しが完了すると、ディスクドライブ部３３０に対して、ディスク１に記録されているコンテンツ２を予約録画するための予約情報の消去を指示する。指示を受けたディスクドライブ部３３０は、ディスク１の予約情報管理領域に記録されているコンテンツ２を予約録画するための予約情報を削除する（図９）。なお、図９は、コンテンツの同期処理後の記憶部３４０およびディスク１の状態を示す図である。
【０１１６】
次に、記憶部３４０の領域１に記録されているコンテンツ２をディスク１に書き出した際の記憶部３４０および記憶部２８０の状態について図１０の（ａ）〜（ｃ）を参照しつつ以下に説明する。図１０の（ａ）〜（ｃ）は、コンテンツ２を同期処理した際の記憶部３４０および記憶部２８０の状態を示す図であり、図１０の（ａ）は記憶部３４０の領域１におけるコンテンツの記録状態に対応するディスク１の記録状態の対応関係を示す図であり、図１０の（ｂ）はコンテンツ２を同期処理させた際のマップテーブルを示す図であり、図１０の（ｃ）はコンテンツ２を同期処理させた際のタイトル管理テーブルを示す図である。
【０１１７】
図１０の（ａ）に示すように、仮想ディスクイメージにおいて、コンテンツ２は、仮想アドレス「０ｘ２５０」を先頭アドレスとして記録されている。このとき、ディスク１では、「０ｘ２５０」を先頭アドレスとしてコンテンツ２を記録することができるため、コンテンツ２は、ディスク１のアドレス「０ｘ２５０」を先頭アドレスとしてディスク１に記録される。
【０１１８】
コンテンツ２の同期処理が完了すると、図１０の（ｂ）に示すように、エントリ１のマップ情報に記録されているマップテーブルの同期フラグが、コンテンツがマイディスクに記録されていることを表す「１」となる。また、図１０の（ｃ）に示すように、記憶部２８０に記録されているディスク１のタイトル管理テーブルにおいて、タイトル２における残りダビング回数が１減算されて「９」回となると共に、同期状態が同期を示す情報に変更される。
【０１１９】
次に、ディスク１において「０ｘ２５０」を先頭アドレスとするコンテンツ（コンテンツ３）が既に記録されている場合のコンテンツ２の同期処理について、図１１の（ａ）〜（ｄ）を参照して以下に説明する。
【０１２０】
図１１の（ａ）〜（ｄ）は、コンテンツ２を同期処理した際の記憶部３４０および記憶部２８０の状態を示す図であり、図１１の（ａ）は仮想ディスクイメージにおけるコンテンツ２の先頭アドレスを先頭アドレスとするコンテンツ３がディスク１に記録されている状態を示す図であり、図１１の（ｂ）はコンテンツ２をコンテンツ３に続くように仮想ディスクイメージを変更した状態を示す図であり、図１１の（ｃ）はコンテンツ２を同期処理させた際のマップテーブルを示す図であり、図１１の（ｄ）はコンテンツ２を同期処理させた際のタイトル管理テーブルを示す図である。
【０１２１】
図１１の（ａ）に示すように、仮想ディスクイメージにおけるコンテンツ２の先頭アドレスである「０ｘ２５０」を先頭アドレスとするコンテンツ３が既にディスク１に記録されている場合、ディスク１のアドレス「０ｘ２５０」を先頭アドレスとしてコンテンツ２をディスク１に記録することができない。
【０１２２】
このとき、ドライブ制御部３２０は、記憶部３４０における仮想ディスクイメージを変更することにより、コンテンツ２をディスク１に記録できるようにする。すなわち、ドライブ制御部３２０は、ディスク１においてアドレス「０ｘ２５０」を先頭アドレスとして記録されているコンテンツ３を、仮想ディスクイメージにおいても仮想アドレス「０ｘ２５０」を先頭アドレスとして記録されているように設定し、コンテンツ２をコンテンツ３に続くように仮想アドレス「０ｘ４００」を先頭アドレスとして記録されているように設定する。すなわち、ドライブ制御部３２０は、領域１における仮想ディスクイメージを変更する。これによって、変更された仮想ディスクイメージでは、コンテンツ２の先頭アドレスが「０ｘ４００」となるため、「０ｘ４００」を先頭アドレスとしてディスク１にコンテンツ２を記録することができる。
【０１２３】
このとき、領域１のマップテーブルについても、図１１の（ｃ）に示すように変更される。すなわち、仮想ディスクマップにおけるコンテンツ２の先頭アドレスは、「０ｘ４００」となり、コンテンツがマイディスクに記録されていることを表す「１」となる。また、仮想ディスクマップにおいて、先頭アドレスが「０ｘ２５０」であり、コンテンツ容量がＹＧＢのコンテンツ３が登録される。コンテンツ３は、領域１には記録されていないコンテンツであるため、メモリマップには先頭アドレスが記録されず、同期フラグについても記録されない。
【０１２４】
同様に、図１１の（ｄ）に示すように、記憶部２８０におけるディスク１のタイトル管理テーブルにおいてもタイトル２に対応付けられた同期状態が同期を表す情報に変更され、コンテンツ３を示すタイトル３に対応付けられた情報（再生時間および再生画質）が登録される。このとき、コンテンツ３は、ディスク１にのみ記録されているコンテンツであり、ダビングすることはできないため、タイトル３における残りダビング回数は表示されない。
【０１２５】
レコーダ装置１００は、マップ情報によりマイディスクの仮想ディスクマップを管理することができるので、マイディスクが取り出された後もマイディスクの空き容量を把握し続けることができる。
【０１２６】
（領域１に記録されているコンテンツの削除）
記憶部３４０における領域１の空き容量が少なくなった場合には、領域１に記録されているコンテンツを削除するようにすればよい。領域１に記録されているコンテンツの削除は、ユーザーの指示により実行されるようにしてもよいし、領域１における空き容量が所定値以下となった場合に自動的に実行されるようにしてもよい。この場合、ディスク１と同期済のコンテンツを優先的に削除することが好ましい。また、ディスク１と同期していないコンテンツがある場合、当該コンテンツの削除を行うか否かをユーザーに確認することが好ましい。
【０１２７】
図１２は、領域１に記録されていたコンテンツ１およびコンテンツ２を削除した後に、新たにコンテンツ４を録画したときの記憶部３４０およびディスク１の状態を示す図である。なお、図１２は、マイディスクが装填されている状態での録画のため、コンテンツ４はディスク１に対しても記録されている。
【０１２８】
図１２に示す状態、すなわちコンテンツ１およびコンテンツ２を領域１から削除した後に領域１にコンテンツ４を記録したときの記憶部３４０および記憶部２８０の状態について図１３の（ａ）〜（ｃ）を参照しつつ以下に説明する。図１３の（ａ）〜（ｃ）は、コンテンツ４を録画した際の記憶部３４０および記憶部２８０の状態を示す図であり、図１３の（ａ）は記憶部３４０の領域１におけるコンテンツの記録状態に対応するディスク１の記録状態の対応関係を示す図であり、図１３の（ｂ）はコンテンツ４を記録した際のマップテーブルを示す図であり、図１３の（ｃ）はコンテンツ４を記録した際のタイトル管理テーブルを示す図である。
【０１２９】
ドライブ制御部３２０は、領域１からコンテンツ１およびコンテンツ２が削除されると、記憶部３４０のエントリ１に記録されているマップテーブルにおけるメモリマップからコンテンツ１およびコンテンツ２に関する情報を削除する。また、ドライブ制御部３２０は、コンテンツ１およびコンテンツ２に関連付けられた同期フラグについても削除する。ただし、図１３の（ａ）に示すように、コンテンツ１およびコンテンツ２は、仮想ディスクイメージ上においては消去されることなく残されている。すなわち、図１３の（ｂ）に示すように、領域１からコンテンツ１およびコンテンツ２を削除したとしても、マップテーブルにおける仮想ディスクマップからはコンテンツ１およびコンテンツ２の情報は削除されることなく残されることになる。
【０１３０】
したがって、ドライブ制御部３２０は、仮想ディスクイメージにおいて既に記録されているコンテンツ２に続くように、すなわち仮想アドレス「０ｘ６５０」を先頭アドレスとしてコンテンツ４を記録するようにディスクドライブ部３３０に指示する。
【０１３１】
また、図１３の（ｃ）に示すように、領域１からコンテンツ１およびコンテンツ２が削除されることに伴って、記憶部２８０におけるタイトル管理テーブルも変更される。領域１に記録されていたコンテンツ１およびコンテンツ２が削除されると、バックエンド制御部２４０は、記憶部２８０におけるタイトル管理テーブルにおけるコンテンツ１およびコンテンツ２の残りダビング回数および同期状態を示す情報を削除する。次に、コンテンツ４が領域１に記録されると、バックエンド制御部２４０は、コンテンツ４を示すタイトル（タイトル４）に関する情報をタイトル管理テーブルに登録する。
【０１３２】
＜コンテンツ再生動作＞
次に、レコーダ装置１００におけるコンテンツの再生動作について、図１４〜図１７を参照しつつ以下に説明する。
【０１３３】
コンテンツの再生処理は、操作入力部を介したユーザーからのコンテンツ再生指示を受けて実行される処理である。例えば、表示装置に表示されているタイトルの再生をユーザーが選択すると、バックエンド制御部２４０は、選択されたタイトルにより表されるコンテンツの再生指示を受けたとして当該コンテンツの再生処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。
【０１３４】
なお、レコーダ装置１００におけるコンテンツの再生動作は、マイディスクが装填されている場合の再生処理と、マイディスクが装填されていない場合の再生処理とに大別することができる。各再生処理について以下に説明する。
【０１３５】
（マイディスクが装填されている場合の再生処理）
マイディスクが装填されている場合の再生処理について、図１４および図１５を参照して以下に説明する。図１４は、コンテンツ１〜３を記録したディスク１が装填されている場合の記憶部３４０および記憶部２８０の状態を示す図である。図１５は、マイディスクが装填されている場合において、再生時にコンテンツが読み出される媒体を模式的に示した図である。
【０１３６】
図１４に示すように、ドライブ部３００には、コンテンツ１〜３の記録されているディスク１が装填されており、記憶部３４０の領域１にコンテンツ１およびコンテンツ２が記録されている。そのため、記憶部２８０のタイトル管理領域のタイトル管理テーブルには、タイトル１〜３に関する情報が記録されている。すなわち、バックエンド部２００では、タイトル１〜３により表されるコンテンツ１〜３を認識することができる。なお、図１４では、タイトル管理テーブルの詳細については省略して示している。
【０１３７】
マイディスクが装填されている場合の再生処理としては、まず、ディスク１および領域１のいずれにも記録されているコンテンツ１を再生する場合の再生処理について説明した後、ディスク１に記録されているが、領域１には記録されていないコンテンツ３を再生する場合の再生処理について説明する。
【０１３８】
バックエンド制御部２４０は、ディスク１に記録されているコンテンツ１を読み出す命令をインターフェース部２９０を介してドライブ部３００に対して出力する。バックエンド制御部２４０からの命令を受けたドライブ制御部３２０は、マップテーブルを参照して、ディスク１に記録されているコンテンツ１が領域１に記録されているか否かを判定する。このとき、コンテンツ１は領域１に記録されているコンテンツであるため、ドライブ制御部３２０は、バックエンド制御部２４０から受けたディスク１からの読み出し命令を、マップテーブルを参照して、領域１からの読み出し命令に変換する。すなわち、ドライブ制御部３２０は、ディスク１のアドレスを、マップテーブルを参照して、領域１の物理アドレスに変換する。
【０１３９】
領域１からコンテンツ１を読み出したドライブ制御部３２０は、読み出したコンテンツ１を、インターフェース部３１０を介してバックエンド部２００に出力する。
【０１４０】
このように、読み出しの対象となるコンテンツがマイディスクにも記憶部３４０にも記録されている場合、図１５に示すように、コンテンツは記憶部３４０から読み出される。
【０１４１】
ディスク１に記録されているが、領域１には記録されていないコンテンツ３を再生する場合も同様に、バックエンド制御部２４０がディスク１に記録されているコンテンツ３を読み出す命令をインターフェース部２９０を介してドライブ部３００に対して出力する。バックエンド制御部２４０からの命令を受けたドライブ制御部３２０は、マップテーブルを参照して、ディスク１に記録されているコンテンツ３が領域１に記録されているか否かを判定する。このとき、コンテンツ３は領域１に記録されていないコンテンツであるため、ドライブ制御部３２０は、バックエンド制御部２４０から受けたディスク１からの読み出し命令にしたがって、ディスクドライブ部３３０に対してコンテンツ３を読み出すように指示する。
【０１４２】
ディスク１からコンテンツ３が読み出されると、ドライブ制御部３２０は、読み出したコンテンツ３を、インターフェース部３１０を介してバックエンド部２００に出力する。
【０１４３】
このように、読み出しの対象となるコンテンツが記憶部３４０に記録されていない場合、図１５に示すように、コンテンツはマイディスクから読み出される。
【０１４４】
（マイディスクが装填されていない場合の再生処理）
続いて、マイディスクが装填されていない場合の再生処理について、図１６および図１７を参照して以下に説明する。図１６は、ドライブ部３００に光ディスクが装填されていない場合の記憶部３４０および記憶部２８０の状態を示す図である。図１７は、マイディスクが装填されていない場合において、再生時にコンテンツが読み出される媒体を模式的に示した図である。
【０１４５】
図１６に示すように、記憶部３４０の領域１には、コンテンツ１およびコンテンツ２が記録されている。しかし、図１４の場合とは異なり、ドライブ部３００には、コンテンツ１〜３の記録されているディスク１が装填されていない。なお、記憶部２８０のタイトル管理領域のタイトル管理テーブルには、タイトル１〜３に関する情報が記録されている。すなわち、バックエンド部２００では、タイトル１〜３により表されるコンテンツ１〜３を認識することができる。なお、図１６では、図１４と同様に、タイトル管理テーブルの詳細については省略して示している。
【０１４６】
図１６に示すような状態の場合、バックエンド部２００において認識しているタイトル１〜３により表されるコンテンツ１〜３のうち、記憶部３４０の領域１に記録されているコンテンツ１およびコンテンツ２については再生することができるが、ディスク１にのみ記録されているコンテンツ３については再生することができない。
【０１４７】
すなわち、図１７に示すように、読み出しの対象となるコンテンツがマイディスクにも記憶部３４０にも記録されている場合には、マイディスクが装填されている場合と同様の処理により、コンテンツは記憶部３４０から読み出される。しかし、ディスク１にのみ記録されているコンテンツについては読み出すことはできない。
【０１４８】
なお、図１７に示すコンテンツ１の読み出し処理は、マイディスクが装填されている場合におけるコンテンツ１の読み出し処理と同様であるため、ここでは説明を省略する。
【０１４９】
＜コンテンツ編集動作＞
次に、レコーダ装置１００におけるコンテンツの編集動作について、図１８および図１９の（ａ）および図１９の（ｂ）を参照しつつ以下に説明する。
【０１５０】
コンテンツの編集処理は、操作入力部を介したユーザーからのコンテンツ編集指示を受けて実行される処理である。例えば、表示装置に表示されているタイトルの編集をユーザーが選択すると、バックエンド制御部２４０は、選択されたタイトルにより表されるコンテンツの編集指示を受けたとして、ユーザーにより選択されたコンテンツの編集処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。すなわち、タイトル管理テーブルに登録されているタイトルは、記録されている媒体を問わず編集処理を行うことができる。
【０１５１】
レコーダ装置１００におけるコンテンツ編集動作も、コンテンツ再生処理と同様に、マイディスクが装填されている場合の編集処理と、マイディスクが装填されていない場合の編集処理とに大別することができる。各編集処理について以下に説明する。
【０１５２】
なお、コンテンツの編集処理とは、マイディスクまたは記憶部３４０に記録されているコンテンツの少なくとも一部のデータを変更する処理であり、具体的には、コンテンツにおけるシーン消去（コンテンツデータの一部変更）、コンテンツの削除およびコンテンツにおけるチャプターの追加を含む処理である。なお、ここではコンテンツにおけるシーン消去を例に挙げて説明するが、他の処理であっても同様に処理することができる。
【０１５３】
（マイディスクが装填されている場合の編集処理）
マイディスクが装填されている場合の編集処理について、図１４および図１８を参照して以下に説明する。図１８は、マイディスクが装填されている場合において、コンテンツが編集される媒体を模式的に示した図である。
【０１５４】
図１４に示すように、ドライブ部３００には、コンテンツ１〜３の記録されているディスク１が装填されており、記憶部３４０の領域１にコンテンツ１およびコンテンツ２が記録されている。また、記憶部２８０のタイトル管理領域のタイトル管理テーブルには、タイトル１〜３に関する情報が記録されており、バックエンド部２００では、タイトル１〜３により表されるコンテンツ１〜３を認識することができる。なお、図１４では、タイトル管理テーブルの詳細については省略して示している。
【０１５５】
マイディスクが装填されている場合の再生処理としては、まず、ディスク１および領域１のいずれにも記録されているコンテンツ１を編集する場合の処理について説明した後、ディスク１に記録されているが、領域１には記録されていないコンテンツ３を編集する場合の処理について説明する。
【０１５６】
バックエンド制御部２４０は、ディスク１に記録されているコンテンツ１のデータを変更する命令をインターフェース部２９０を介してドライブ部３００に対して出力する。バックエンド制御部２４０からの命令を受けたドライブ制御部３２０は、マップテーブルを参照して、ディスク１に記録されているコンテンツ１が領域１に記録されているか否かを判定する。このとき、コンテンツ１は領域１に記録されているコンテンツであるため、ドライブ制御部３２０は、バックエンド制御部２４０から受けたディスク１におけるデータを変更する命令を、マップテーブルを参照して、領域１におけるデータを変更する命令に変換する。すなわち、ドライブ制御部３２０は、マップテーブルを参照して、ディスク１のアドレスを、領域１の物理アドレスに変換するため、実際には、領域１に記録されているコンテンツ１のデータが変更されることになる。
【０１５７】
このように、データを変更する対象となるコンテンツがマイディスクにも記憶部３４０にも記録されている場合、図１８に示すように、記憶部３４０に記録されているコンテンツのデータが変更されることになる。
【０１５８】
しかし、このままではディスク１に記録されているコンテンツ１と、領域１に記録されているコンテンツ１とが異なったまま（非同期状態）となってしまうため、ドライブ制御部３２０は、領域１に記録されているコンテンツ１に対して行ったデータの変更をディスク１に記録されているコンテンツ１に対しても反映させる。ディスク１に記録されているコンテンツ１に対する変更の反映は、ディスク１がドライブ部３００から取り出されるまでの間であればいつ行うようにしてもよい。
【０１５９】
ディスク１に記録されているが、領域１には記録されていないコンテンツ３のデータを変更する場合も同様に、バックエンド制御部２４０がディスク１に記録されているコンテンツ３のデータを変更する命令をインターフェース部２９０を介してドライブ部３００に対して出力する。バックエンド制御部２４０からの命令を受けたドライブ制御部３２０は、マップテーブルを参照して、ディスク１に記録されているコンテンツ３が領域１に記録されているか否かを判定する。このとき、コンテンツ３は領域１に記録されていないコンテンツであるため、ドライブ制御部３２０は、バックエンド制御部２４０から受けたディスク１に記録されているコンテンツ３のデータを変更する命令にしたがって、ディスクドライブ部３３０に対してコンテンツ３のデータを変更するように指示する。
【０１６０】
（マイディスクが装填されていない場合の編集処理）
続いて、マイディスクが装填されていない場合のコンテンツの編集処理について、図１６および図１９の（ａ）および図１９の（ｂ）を参照して以下に説明する。図１９の（ａ）および図１９の（ｂ）は、マイディスクが装填されていない場合において、コンテンツが編集される媒体を模式的に示した図であり、図１９の（ａ）はディスク１が装填されていないときの編集対象となる媒体を示しており、図１９の（ｂ）はディスク１が装填されたときの変更箇所のディスク１への反映を示している。
【０１６１】
図１６に示すような状態の場合、バックエンド部２００において認識しているタイトル１〜３により表されるコンテンツ１〜３のうち、記憶部３４０の領域１に記録されているコンテンツ１およびコンテンツ２についてはディスク１が装填されている場合と同様の編集処理を行うことができる。
【０１６２】
すなわち、図１９の（ｂ）に示すように、他のレコーダ装置においてディスク１のコンテンツ２が変更されていた場合、ドライブ制御部３２０は、ディスク１におけるコンテンツ２の変更を領域１に記録されているコンテンツ２に対して反映させる。このとき、エントリ１に記録されているマップテーブルについても併せて更新する。
【０１６３】
＜コンテンツコピー動作＞
次に、レコーダ装置１００におけるコンテンツのコピー動作について、図２０の（ａ）および図２０の（ｂ）を参照しつつ以下に説明する。ここでは、レコーダ装置１００における記憶部３４０内のメモリ内コピー動作を例に挙げて説明する。なお、メモリ内コピー動作とは、レコーダ装置１００におけるメモリ内ダビング動作と言い換えることもできる。図２０の（ａ）および図２０の（ｂ）は、レコーダ装置１００におけるメモリ内コピー処理を示す図であり、図２０の（ａ）は、メモリ内コピー処理後の記憶部３４０の状態を示す図であり、図２０の（ｂ）はメモリ内コピー処理後の記憶部２８０におけるタイトル管理領域の状態を示す図である。
【０１６４】
コンテンツのメモリ内コピー処理は、操作入力部を介したユーザーからのコンテンツコピー指示を受けて実行される処理である。例えば、表示装置に表示されているタイトルからユーザーがタイトルを選択し、選択したタイトルをいずれの領域にコピーするのかを決定すると、バックエンド制御部２４０は、選択されたタイトルにより表されるコンテンツを選択された記憶部３４０における領域へコピーする指示を受けたとして当該コンテンツのメモリ内コピー処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。
【０１６５】
記憶部３４０の領域１に記録されているコンテンツ２を記憶部３４０の領域２にコピーするユーザーからの指示を受けたバックエンド制御部２４０は、ドライブ制御部３２０に対して、領域１に記録されているコンテンツ２を領域２に記録するように指示する。バックエンド制御部２４０からの指示を受けたドライブ制御部３２０は、図２０の（ａ）に示すように、コンテンツ２を領域２に記録する。このとき、ドライブ制御部３２０は、エントリ２に記録されているマップテーブルを更新する。なお、領域２におけるコンテンツ２の記録およびそれに伴うマップテーブルの更新については、録画動作において説明した処理と同様であるため、説明を省略する。
【０１６６】
コンテンツ２の領域２への記録が完了すると、バックエンド制御部２４０は、記憶部２８０におけるディスク１のタイトル管理領域に記録されているタイトル管理情報におけるコンテンツ２の残りダビング回数を１減算する。また、記憶部２８０におけるディスク２のタイトル管理領域に記録されているタイトル管理情報におけるコンテンツ２の残りダビング回数を１加算する。これによって、図２０の（ｂ）に示すように、ディスク１のタイトル管理領域におけるコンテンツ２の残りダビング回数は「８」となり、ディスク２のタイトル管理領域におけるコンテンツ２の残りダビング回数は「１」となる。
【０１６７】
なお、図２０の（ａ）に示すように、ディスク２はドライブ部３００に装填されていないため、領域２に記録されているコンテンツ２の同期状態は、未同期を表す情報である。
【０１６８】
＜マイディスクの登録解除＞
次に、マイディスクの登録解除処理について説明する。ユーザーからのディスク１の登録解除指示を受けたドライブ制御部３２０は、記憶部３４０において記録されている、登録を解除するディスク１に対応付けられた領域を管理する管理情報を消去する。すなわち、エントリにおけるメディアＩＤ情報、メディアキー情報およびマップ情報を削除すると共に、割り当てフラグを、割り当てが行われていないことを示す「０」に変更する。また、領域にデータが記録されている場合には、記録されているデータも消去する。これによって、記憶部３４０におけるエントリは、新たなマイディスクの登録が可能な状態となる。
【０１６９】
また、ユーザーからのディスク１の登録解除指示を受けたバックエンド制御部２４０は、記憶部２８０におけるディスク１のタイトル管理領域に記録されているタイトル管理情報を削除する。これによって、バックエンド部２００において、ディスク１に記録されていたコンテンツを示すタイトルを認識することができなくなる。
【０１７０】
（マイディスクのファイルシステムの利用）
レコーダ装置１００では、マイディスクとして登録されている光ディスクへのデータの書き込みおよび光ディスクからのデータの読み出しには、マイディスクとして登録されている光ディスクから取得したファイルシステムを用いることが好ましい。
【０１７１】
ここで、光ディスクのファイルシステムを利用したデータ管理について、図２１の（ａ）〜（ｃ）を参照しつつ以下に説明する。図２１の（ａ）〜（ｃ）は、ファイルシステムを用いたデータ管理を示す図であり、図２１の（ａ）は記憶部２８０に記録されているファイルシステムの一例を示し、図２１の（ｂ）は領域１におけるコンテンツの記録状態に対応するディスク１の記録状態の対応関係を示し、図２１の（ｃ）はファイル毎のマップテーブルを示す図である。
【０１７２】
通常、光ディスク内には、光ディスクの種類毎に規格によって定められたファイルシステムが記録されており、そのファイルシステムによって、光ディスクに記録されている各ファイルと各ファイルの記録されているアドレスが関連づけられている。なお、ファイルシステムは、光ディスクの記憶領域における先頭部分に記録されていることが多い。
【０１７３】
バックエンド部２００では、データの読み出し、あるいはデータの書き込みの対象となる光ディスクのアドレスを指定するために、光ディスクから取得したファイルシステムを参照する。ファイルシステムは、光ディスクが装填された時に、メディアＩＤなどと共に取得され、バックエンド部２００の揮発性メモリに保持される。また、予期しない電源断などに対応するために、取得したファイルシステムは、記憶部２８０にも保持している（図２１の（ａ））。バックエンド部２００では、光ディスクが装填されるたびに光ディスクからファイルシステムを取得し、取得したファイルシステムと自装置に記録されているファイルシステムとを比較して、ファイルの最新の状態が維持されるようにしている。
【０１７４】
すなわち、バックエンド部２００は、マイディスクとして登録されている光ディスクから読み出したファイルシステムと、既に記憶部２８０に記録されているファイルシステム（その光ディスクから直近に読み出したファイルシステム）とを比較することにより、バックエンド部２００は光ディスクに記録されていて記憶部３４０に記録されていないコンテンツの情報（例えば、そのコンテンツの記録されている光ディスクのアドレス、そのコンテンツを示すタイトル情報など）を取得する。
【０１７５】
なお、図２１の（ａ）には、ディスク１に関するファイルシステムについてのみ示しているが、記憶部２８０のファイルシステム管理領域には、マイディスクとして登録されているディスクの数だけファイルシステムが記録されている。
【０１７６】
このように、マイディスクとして登録している光ディスクのファイルシステムを記憶部２８０に記録することにより、バックエンド部２００は、光ディスクが装填されていない状態であったとしても、記憶部２８０に記録されているファイルシステムを参照して仮想ディスクイメージ上のファイルへのアクセスが可能となる。すなわち、マイディスクが装填されていない場合であっても、あたかもマイディスクが装填されているかのようにデータを扱うことができる。例えば、記憶部３４０のマップ情報において、アクセス対象とする仮想アドレスに対応する記憶部３４０のアドレスが記録されている場合には、記憶部３４０のアドレスを用いて、当該アドレスに記録されているデータを読み出すことができる。
【０１７７】
さらに、図２１の（ｂ）および図２１の（ｃ）に示すように、コンテンツ１が複数の断片化されたファイルに分割されて光ディスクに記録されている場合であっても、バックエンド制御部２４０は、記憶部２８０に記録されているファイルシステムにおけるコンテンツ１の配置情報を参照することにより、コンテンツ１に対して的確にアクセスすることができる。
【０１７８】
このように、記憶部３４０に記録されているマップ情報は、本実施形態ではコンテンツごとの配置情報として示しているが、より正確には、図２１の（ｃ）に示すように、領域（ファイル）ごとの配置情報を示すものである。
【０１７９】
また、マイディスクの登録解除の際には、ファイルシステム管理領域に記録されているファイルシステムについても、タイトル管理情報と併せて削除される。
【０１８０】
＜表示装置における表示例＞
最後に、レコーダ装置１００に接続された表示装置におけるコンテンツとタイトルリストに記録されている情報との表示例について、図２２を参照しつつ以下に説明する。図２２は、表示装置５００上でのコンテンツおよびタイトルリストに記録されている情報の表示を概略的に示す図である。
【０１８１】
操作入力部を介してユーザーがタイトルリストの表示をレコーダ装置１００に対して指示すると、表示装置５００では、タイトルリストおよびコンテンツが図２２に示すように表示される。
【０１８２】
すなわち、図２２に示すように、表示装置５００における表示画面は、これまで視聴していたコンテンツを引き続き表示するコンテンツ表示部５１０と、タイトルリストを表示するタイトル表示部５２０との２つの画面に分割されることになる。
【０１８３】
タイトルリスト表示部５２０には、図２２に示すように、登録されているマイディスクに対応するタブが表示される。ユーザーがタイトルリストの確認を所望するマイディスクのタブを選択することにより、タイトルリスト表示部５２０には、ユーザーの選択したマイディスクのタイトルリストが表示されることになる。すなわち、記憶部２８０における各マイディスクのタイトル管理領域に記録されているタイトル管理テーブルの情報が表示される。
【０１８４】
図２２では、ディスク１のタブを選択したときのタイトルリストを示している。このとき、選択しているディスクを表す情報（アイコン）を表示部５３０に表示することが好ましい。また、ユーザーがタイトルリスト表示部５２０に表示されている各タイトルを選択した場合には、仮選択したタイトルにより示されるコンテンツのサムネイルを表示部５３０に表示することが好ましい。
【０１８５】
レコーダ装置１００は、複数の光ディスクを仮想的に扱うことができるので、マイディスクとして登録されている複数の光ディスクのそれぞれに対して、同時間に放送される別番組のコンテンツを記録することが可能である。例えば、２つの予約情報の予約録画時間が重複している場合でも、上記２つの予約情報に基づき特定のマイディスクに特定の番組を記録することが可能である。
【０１８６】
本発明に係る番組録画装置は、ドライブ装置（光ディスクドライブ）と、複数の記録媒体（光ディスク）のいずれかを録画先として指定する記録媒体指定情報を含む予約録画情報に基づいて、番組を上記ドライブ装置に録画させる制御手段（バックエンド制御部）とを備える番組録画装置であって、上記ドライブ装置には上記記録媒体を装填可能であり、上記制御手段は、上記記録媒体指定情報および当該記録媒体指定情報により指定された記録媒体上の記憶領域を指定する第１の領域指定情報を含む書き込み命令を、上記番組を表すデータと共に上記ドライブ装置に入力し、上記ドライブ装置は、記憶部と、上記書き込み命令を上記データと共に取得するインターフェース（インターフェース部）と、上記インターフェースが上記書き込み命令および上記データを取得したとき、上記記憶部に上記データを書き込む書込手段と、上記書込手段により上記データが書き込まれた上記記憶部上の記憶領域を指定する第２の領域指定情報を、上記記録媒体指定情報および上記第１の領域指定情報に関連付けて上記記憶部に記録する記録手段と、を備えていることを特徴としている。
【０１８７】
＜移植性＞
レコーダ装置１００は、光ディスクを仮想的に扱うための記憶部３４０をドライブ部３００に備えている。そのため、光ディスクを仮想的に扱うための処理の大部分をドライブ制御部３２０に担わせることが可能である。よって、光ディスクを仮想的に扱うシステムを他の機種に移植する場合に、ドライブ部３００に変更を加えずにドライブ部３００を利用することができるため、移植が容易である。
【０１８８】
＜予約登録処理における追加的な動作＞
ユーザーが予約情報を設定する場合、通常「録画画質」も同時に設定する。大きいビットレートでコンテンツを録画する程、コンテンツを再生した場合に高画質になり、小さいビットレートでコンテンツを録画する程、コンテンツを再生した場合に低画質になる。コンテンツのデータのビットレートが大きいということは、コンテンツのデータのサイズが大きくなるということである。
【０１８９】
ディスク１に対してコンテンツを予約録画する場合について説明する。
【０１９０】
ユーザーが予約情報を設定した時に、ディスク１がレコーダ装置１００に装填されていない場合、レコーダ装置１００は、予約録画されるコンテンツのサイズを「録画画質」と「録画時間」（録画終了時刻と録画開始時刻との差）とに基づき推測し、記録対象となる領域１の空き容量と比較する。レコーダ装置１００は、予約録画されるコンテンツの全てを領域１に記録することができないと判断した場合、領域１の空き容量分の時間しか当該コンテンツを録画できないことをユーザーに通知する。
【０１９１】
ユーザーが予約情報を設定した時に、ディスク１がレコーダ装置１００に装填されている場合、同様にレコーダ装置１００は、予約録画されるコンテンツのサイズを「録画画質」とコンテンツの時間とに基づき推測し、記録対象となる領域１の空き容量と比較する。レコーダ装置１００は、予約録画されるコンテンツの全てを領域１に記録することができないと判断した場合、ディスク１をレコーダ装置１００から取り出すと予約録画が実行できなくなる旨をユーザーに通知する。なお、ディスク１をレコーダ装置１００から取り出した場合も、予約録画処理が始まる時刻までにディスク１をレコーダ装置１００に装填し直せば、予約録画処理はディスク１に対して実行される。
【０１９２】
なお、ディスク１がレコーダ装置１００に装填されているか否かに関わらず、レコーダ装置１００は、予約録画されるコンテンツの全てを領域１に記録することができないと判断した場合、予約録画されるコンテンツの全てを録画できるように録画画質を低く設定してもよい。
【０１９３】
また、ディスク１がレコーダ装置１００に装填されており、ユーザーがレコーダ装置１００に対してディスク１を取り出す操作を行った時、レコーダ装置１００は、ディスク１に対して設定されている予約録画のコンテンツの全てを領域１に記録することができるか否かを判断し、できないと判断した場合、領域１の空き容量分の時間しか当該コンテンツを録画できないことをユーザーに通知し、対処法（予約録画の録画画質を低く設定する、または領域１の空き容量分だけ録画する等）をユーザーに選択させる構成としてもよい。または、ユーザーに選択させることなく、レコーダ装置１００がいずれかの対処法を自動的に選択する構成であってもよい。
【０１９４】
また、ディスク１がレコーダ装置１００に装填されており、ユーザーがレコーダ装置１００に対してディスク１を取り出す操作を行った時、レコーダ装置１００は、ディスク１に対して設定されている予約録画のコンテンツの全てを領域１に記録することができるか否かを判断し、できないと判断した場合、当該予約録画がユーザーによって「重要度が高い予約録画」として指定されているものであれば、ディスク１をユーザーに取り出させない構成としてもよい。
【０１９５】
〔実施の形態２〕
次に、実施の形態２のレコーダ装置について説明する。尚、説明の便宜上、以下では、実施の形態１との相違点のみについて説明する。実施の形態２では、記憶部３４０のマイディスクが割り当てられている領域を、一時的に無効化することができる。
【０１９６】
＜領域の無効化＞
レコーダ装置１００における領域の無効化について、図２３を参照しつつ以下に説明する。図２３は、領域１の無効化処理後の記憶部３４０を模式的に示した図である。
【０１９７】
領域１に対応するマイディスクとしてディスク１が登録されている。記憶部３４０のエントリ１には「アクティブフラグ」が設けられており、通常はアクティブフラグには領域１が有効であることを示す情報（ここでは「１」）が記録されている。
【０１９８】
領域１が有効である場合、ディスク１がドライブ部３００に装填されていなくても、バックエンド部２００からのディスク１への書き込みまたはディスク１の読み出しの命令は、領域１に対して実行される。すなわち、領域１に対して実施の形態１と同様の処理が行われる。
【０１９９】
ユーザーの指示等に基づき、レコーダ装置１００は、エントリ１のアクティブフラグを領域１が無効であることを示す「０」に変更する。領域１が無効である場合（レコーダ装置１００が領域１を無効にする書込無効モードで動作している場合）、バックエンド部２００からのディスク１への書き込みまたはディスク１の読み出しの命令は、ディスク１の装填の有無にかかわらず、領域１に対しては実行されない。ディスク１が装填されている場合、バックエンド部２００からのディスク１への書き込みまたはディスク１の読み出しの命令はディスク１のみに対して実行される。また、ディスク１が装填されていない場合、バックエンド部２００からのディスク１への書き込みまたはディスク１の読み出しの命令は、ドライブ制御部３２０によって実行不可と判断され、ドライブ制御部３２０は、バックエンド部２００にエラーを出力する。
【０２００】
領域１が無効化されている間、領域１はメモリの有効利用のために利用される。ユーザーの指示等に基づき、レコーダ装置１００は、エントリ１のアクティブフラグを「１」に変更し、領域１を有効にすることができる。
【０２０１】
または、アクティブフラグの有効無効はレコーダ装置１００にディスク１が装填されているか否かで切り替えてもよい。すなわち、レコーダ装置１００にディスク１が装填され、同期処理が完了すると、ドライブ制御部３２０は、エントリ１のアクティブフラグを領域１が無効であることを示す「０」に変更する。レコーダ装置１００からディスク１が取り出されると、ドライブ制御部３２０は、エントリ１のアクティブフラグを領域１が有効であることを示す「１」に変更する。なお、領域１が無効の場合も、マイディスク管理領域のマップ情報を含む各データは最新の状態に更新され続ける。
【０２０２】
〔実施の形態３〕
次に、実施の形態３のレコーダ装置について説明する。尚、説明の便宜上、以下では、実施の形態１との相違点のみについて説明する。
【０２０３】
本実施の形態では、ユーザーは録画予約を設定する場合、一つの録画予約に対して録画画質を２つまで設定できる。例えば、１番目の録画画質を高画質の「ＳＰ」、２番目の録画画質を低画質の「ＬＰ」に設定したとする。この情報は、予約情報として記憶部２８０の予約情報管理領域に記録される。以下では、当該予約情報に含まれているメディアＩＤのマイディスクがディスク１の場合について説明する。
【０２０４】
＜マイディスクが装填されていない場合の録画処理＞
当該予約情報に示される録画処理を実行する時にディスク１が装填されていない場合、予約情報に基づき、レコーダ装置１００は、設定された画質のうちのいずれかの一方を選択して、その画質で領域１にコンテンツ１を記録する。
【０２０５】
＜マイディスクが装填されている場合の録画処理＞
当該予約情報に示される録画処理を実行する時にディスク１が装填されている場合、予約情報に基づき、コンテンツ１を１番目の録画画質「ＳＰ」でディスク１に記録し、同時にコンテンツ１を２番目の録画画質「ＬＰ」で領域１に記録する。
【０２０６】
次に、コンテンツ１を記憶部３４０の領域１およびディスク１に記録した際の記憶部３４０および記憶部２８０の状態について図２４の（ａ）〜（ｃ）を参照しつつ以下に説明する。図２４の（ａ）〜（ｃ）は、コンテンツ１を録画した際の記憶部３４０および記憶部２８０の状態を示す図であり、図２４の（ａ）は記憶部３４０の領域１におけるコンテンツの記録状態に対応するディスク１の記録状態の対応関係を示す図であり、図２４の（ｂ）はコンテンツ１を記録した際のマップテーブルを示す図であり、図２４の（ｃ）はコンテンツ１を記録した際のタイトル管理テーブルを示す図である。
【０２０７】
図２４の（ａ）に示すように、高画質でディスク１に記録されたコンテンツ１は、低画質で領域１に記録されたコンテンツ１よりもデータのサイズが大きい。すなわち高画質と低画質では、コンテンツ１を表すデータの圧縮率が異なる。
【０２０８】
記憶部３４０の領域１が図２４の（ａ）に示す状態である場合のマップテーブルを、図２４の（ｂ）に示す。図２４の（ｂ）に示すように、マップテーブルは、コンテンツ１における仮想ディスクマップにおける先頭アドレスとして「０ｘ０５０」が設定され、データサイズとしてＸＧＢが設定され、メモリマップにおける先頭アドレスとして「０ｘ０００」が設定され、データサイズとしてＷＧＢが設定されている。また、ディスク１への書き込みが完了すると共に、マップテーブルにおける同期フラグが、コンテンツがマイディスクに記録されていることを表す「１」となる。また、マップテーブルにおける画質同期フラグは「０」に設定される。
【０２０９】
また、図２４の（ｃ）に示すように、記憶部２８０のタイトル管理領域の「画質」の項目には２つの画質の情報「ＳＰ／ＬＰ」が記録され、画質同期フラグは「０」に設定される。
【０２１０】
「画質同期フラグ」は、領域１とディスク１とに記録されている同じコンテンツ１の画質が同じことを示すものである。レコーダ装置１００が領域１とディスク１とに同じコンテンツを異なる画質で録画したときに、画質同期フラグは「０」に設定され、それ以外の場合は「１」に設定される。
【０２１１】
画質同期フラグが「０」の場合、ユーザーの指示等に基づき、ディスク１の高画質のコンテンツ１を、領域１の低画質のコンテンツ１に変更することができる。この場合、レコーダ装置１００は、ディスク１のコンテンツ１を削除し、領域１のコンテンツ１をディスク１にコピーする。また、ドライブ制御部３２０は、エントリ１のマップ情報の仮想ディスクマップを更新し、画質同期フラグを「１」に設定する。また、バックエンド制御部２４０は、記憶部２８０のタイトル管理領域の画質を「ＬＰ」のみに変更する。
【０２１２】
また、画質同期フラグが「０」の場合、ユーザーがディスク１に残しておく画質としてディスク１に記録されている「ＳＰ」を選択した場合、領域１のコンテンツ１が削除され、コンテンツ１の画質同期フラグが「１」に設定される。また、バックエンド制御部２４０は、記憶部２８０のタイトル管理領域の画質を「ＳＰ」のみに変更する。
【０２１３】
領域１とディスク１とに異なる画質の同じコンテンツ１が記録されている状態で、ユーザーの指示等により領域１のコンテンツ１が削除されると、コンテンツ１の画質同期フラグは「１」に設定される。また、記憶部２８０のタイトル管理領域の「画質」はディスクに残された画質のみが記録され、画質同期フラグは「１」に設定される。
【０２１４】
本実施の形態によれば、仮想的なディスク１である領域１を含めた１つのディスクに、コンテンツを２種類の画質で記録することができ、ユーザーはどちらの画質で最終的にディスク１に記録するかを録画後に選択することができる。これにより、ユーザーがディスク１の空き容量を管理する場合において利便性が増す。また、画質の異なる、すなわち使用用途の異なるコンテンツを同時に生成することができる。例えば、ディスク２（領域２）へのコンテンツのコピーを、２種類の画質から選択してコピーすることができる。
【０２１５】
上記では、異なる画質で領域１およびディスク１に記録する場合を説明したが、例えば、当該コンテンツが２カ国語（日本語／英語）で放送されている場合、領域１には主音声（日本語）で記録し、領域２には副音声（英語）で記録するようにしてもよい。また、字幕有り／無し等で記録し分けてもよい。
【０２１６】
〔実施の形態４〕
次に、実施の形態４のレコーダ装置について説明する。尚、説明の便宜上、以下では、実施の形態１との相違点のみについて説明する。実施の形態４では、光ディスクがなくても光ディスクの仮の登録処理を行うことができる。
【０２１７】
記憶部３４０の領域２にまだマイディスクが割り当てられていない、すなわちエントリ２の割り当てフラグが「０」である場合について説明する。ユーザーからの指示に基づいてレコーダ装置１００は、割り当てフラグが「０」であるエントリ２を、レコーダ装置１００に装填されていない光ディスクに対応付ける。このとき対応付けられる光ディスクは一度もレコーダ装置１００に装填されていない光ディスクでよい。そのため記憶部３４０のエントリ２にはメディアＩＤが未定であることを示す識別子（仮のメディアＩＤ「−ａａ」）が記録される。そして、エントリ２の割り当てフラグは「１」に設定される。上記仮のメディアＩＤは、バックエンド部２００の記憶部２８０の予約情報管理領域に記録される予約情報にも使用される。なお、仮のメディアＩＤとしては、実際には市場に存在し得ないＩＤを用いることができる。
【０２１８】
図２５は、光ディスクの仮の登録処理後の記憶部３４０を模式的に示した図である。バックエンド制御部２４０が、マイディスク２に対してコンテンツ１１の録画を行う命令をドライブ部３００に出力すると、ドライブ制御部３２０は、未装填の光ディスク（マイディスク２）に対応付けられた領域２に、コンテンツ１１を記録する。
【０２１９】
メディアＩＤがいずれのエントリにも記録されていない、すなわちマイディスクとして登録されていない光ディスクがドライブ部３００に装填されると、レコーダ装置１００は、当該メディアＩＤをエントリ２に記録し、当該光ディスクをマイディスク「ディスク２」として登録する。また、記憶部２８０の予約情報管理領域に記録されている仮のメディアＩＤも当該光ディスクのメディアＩＤに書き替えられる。
【０２２０】
実際には、レコーダ装置１００が、当該光ディスクをマイディスクとして登録するか、すなわちメディアＩＤをエントリ２に記録するか否かをユーザーに問い合わせることが好ましい。また、当該光ディスクに既に別のコンテンツが記録されており、当該光ディスクの空き容量が少なく、領域２に記録されている一部のコンテンツを当該光ディスクにコピーすることが不可能な場合、マイディスクとして登録させないようにしてもよいし、全てのコンテンツをコピーすることが不可能であるとユーザーに対して警告してもよい。または未使用の光ディスクをレコーダ装置１００に装填した場合のみ、メディアＩＤが未定の領域２に対応するマイディスクとして登録できるようにしてもよい。
【０２２１】
領域２に対応するマイディスク（ディスク２）が登録されると、ディスク２と領域２の同期処理が行われる。
【０２２２】
本実施の形態によれば、空き容量のある光ディスクがユーザーの手元にない場合でも、レコーダ装置１００は、まだ光ディスクに対応付けられていない記憶部３４０の領域を仮想的な新たなディスクとして機能させることができる。これにより、ユーザーは、ディスク２がレコーダ装置１００に装填されているかのように、録画および再生等の各種操作を行うことができる。ユーザーは所望のタイミングで、まだマイディスクとして登録されていない任意の光ディスクをレコーダ装置１００に装填して当該光ディスクをマイディスクとして登録し、記憶部３４０に記録されたコンテンツを光ディスクにコピーすることができる。
【０２２３】
また、記憶部３４０の領域２が、光ディスクと同じ記憶容量を持っている場合、実際の光ディスクをマイディスクとして登録すること無しに、領域２に光ディスク１つ分のコンテンツを記録することができる。ユーザーは所望のタイミングで領域２に記録されたコンテンツを実際の光ディスクにコピーすることができる。例えば、ユーザーは、領域２に記録されたコンテンツの編集（ビットレートを低くする等の処理）を行った上で、光ディスクにコピーすることができる。これは、追記型（書換え不可）の光ディスクを用いる場合に特にユーザーの利便性を増す。
【０２２４】
＜予約情報の引き継ぎ＞
図２６は、予約登録処理後のバックエンド部の記憶部２８０の状態を模式的に示した図である。図２６に示すように、記憶部２８０の予約情報に「毎週同じ番組を録画する」という情報が付加されていた場合の処理を説明する。
【０２２５】
今、マイディスクとして登録されているディスク２のメディアＩＤが「ｂｂｂ」だとする。予約情報４０１は、記録先であるメディアＩＤ「ｂｂｂ」のディスク２に所定の曜日の所定の時間の所定のチャンネルを毎週録画するということを示す。
【０２２６】
ここで、ディスク２の空き容量が少なくなる等して、ユーザーがディスク２をマイディスクから登録解除した場合、記憶部２８０の予約情報４０１は破棄されずに、予約情報４０１のメディアＩＤが仮のメディアＩＤに書き替えられる。仮のメディアＩＤは、メディアＩＤが未定であることを示すものである。
【０２２７】
記憶部３４０のエントリ２のメディアＩＤも同じ仮のメディアＩＤに書き替えられる。また、領域２の同期済のコンテンツは削除される。
【０２２８】
レコーダ装置１００は、予約情報４０１にしたがって、番組を領域２に録画する。ユーザーはマイディスクに登録されていない別のメディアＩＤ「ｃｃｃ」を有する光ディスクをドライブ部３００に装填し、当該光ディスクを新たに「ディスク２」として登録することができる。これにより、予約情報４０１に示される番組を引き続き予約録画することが可能になる。
【０２２９】
〔他の変形例〕
本発明に係る番組録画装置は、ドライブ装置と、複数の記録媒体のいずれかを録画先として指定する記録媒体指定情報を含む予約録画情報に基づいて、番組を上記ドライブ装置に録画させる制御手段とを備える番組録画装置であって、上記ドライブ装置には上記記録媒体を装填可能であり、上記制御手段は、上記記録媒体指定情報および当該記録媒体指定情報により指定された記録媒体上の記憶領域を指定する第１の領域指定情報を含む書き込み命令を、上記番組を表すデータと共に上記ドライブ装置に入力し、上記ドライブ装置は、記憶部と、上記書き込み命令および上記データが入力されたとき、上記記憶部に上記データを書き込む書込手段と、上記書込手段により上記データが書き込まれた上記記憶部上の記憶領域を指定する第２の領域指定情報を、上記記録媒体指定情報および上記第１の領域指定情報に関連付けて上記記憶部に記録する記録手段と、を備えている。
【０２３０】
本発明に係る録画方法は、記憶部を有するドライブ装置を備え、上記ドライブ装置には記録媒体を装填可能であり、複数の上記記録媒体のいずれかを録画先として指定する記録媒体指定情報を含む予約録画情報に基づいて、番組を上記ドライブ装置に録画させる番組録画装置における録画方法であって、上記記録媒体指定情報および当該記録媒体指定情報により指定された記録媒体上の記憶領域を指定する第１の領域指定情報を含む書き込み命令を、上記番組を表すデータと共に上記ドライブ装置に与える入力ステップと、上記記憶部に上記データを書き込む書込ステップと、上記書込ステップにおいて上記データが書き込まれた上記記憶部上の記憶領域を指定する第２の領域指定情報を、上記記録媒体指定情報および上記第１の領域指定情報に関連付けて上記記憶部に記録する記録ステップと、を含む。
【０２３１】
上記の構成によれば、ドライブ装置が、複数の記録媒体のいずれかを指定する記録媒体指定情報と、記録媒体指定情報により指定された記録媒体上の領域を指定する第１の領域指定情報とを含む書き込み命令と共に、番組を表すデータを取得したとき、記憶部にデータを書き込むと共に、データが書き込まれた記憶部上の記憶領域を指定する第２の領域指定情報を、記録媒体指定情報および第１の領域指定情報に関連付けて記憶部に記録する。
【０２３２】
すなわち、番組録画装置は、記録媒体指定情報により指定された記録媒体がドライブ装置に装填されたときに、記憶部に記録されたデータを記録媒体上の記憶領域のいずこに書き込むべきであるかという情報を有している。
【０２３３】
よって、本発明に係る番組録画装置は、記憶部に書き込んだデータを指定された記録媒体上の領域のいずこに書き込むべきであるのかを示す情報を参照することにより、指定された記録媒体に対するアクセスを記憶部に対するアクセスに読み換えることができる。これによって、本発明に係る番組録画装置では、記録媒体指定情報により指定された記録媒体が装填されていない場合であっても、あたかも指定された記録媒体が装填されているかのごとくデータを処理することができる効果を奏する。つまり、複数の記録媒体が常にあたかも装填されているかのごとくデータを処理することができる効果を奏する。
【０２３４】
また、上記ドライブ装置は、上記複数の記録媒体毎に、上記複数の記録媒体を識別する識別情報を上記記憶部に登録する登録手段をさらに備えてもよい。
【０２３５】
上記の構成によれば、番組録画装置は、複数の記録媒体を識別する識別情報を有する。
【０２３６】
よって、番組録画装置は、記憶部に記録されたデータを識別情報に基づいて管理することができ、複数の記録媒体が常にあたかも装填されているかのごとくデータを処理することができる。
【０２３７】
また、上記ドライブ装置は、上記複数の記録媒体のいずれかが装填されたとき、装填された記録媒体を指定する上記記録媒体指定情報に関連付けられた第２の領域指定情報により指定された上記記憶部上の記憶領域に書き込まれたデータを、当該第２の領域指定情報に関連付けられた第１の領域指定情報により指定された上記装填された記録媒体上の記憶領域に書き込む同期手段をさらに備えてもよい。
【０２３８】
上記の構成によれば、指定された記録媒体が装填されていないときに記憶部にデータを記録し、当該記録媒体が装填されたときに記憶部に記録されたデータを当該記録媒体に記録することができる。
【０２３９】
それゆえ、番組録画装置は、指定された記録媒体が装填されていないときも当該記録媒体が装填されているものとしてデータを処理することができる。また、記録媒体の記憶容量以下の記憶容量を有する記憶部によって、記憶部を仮想的な記録媒体として扱う番組録画装置を実現できる。
【０２４０】
また、上記ドライブ装置は、上記書き込み命令および上記データが入力されたとき、上記書込手段が上記記憶部に上記データを書き込む第１の形式とは異なる第２の形式で、装填されている上記記録媒体に上記データを書き込む第１の記録媒体書込手段をさらに備えてもよい。
【０２４１】
上記の構成によれば、番組データを異なる２つの形式で、記憶部と記録媒体に記録することができる。
【０２４２】
これにより、ユーザーは、番組を録画した後で、記憶部に記録された当該番組のデータおよび記録媒体に記録された当該番組のデータのいずれを記録媒体に記録して残すかを選択することができる。
【０２４３】
また、第１の形式と第２の形式とは、上記データの圧縮率が互いに異なるものであってもよい。
【０２４４】
上記の構成によれば、番組データを異なる圧縮率で記憶部と記録媒体に記録することができる。すなわち、番組を異なる２つの画質で録画することができる。
【０２４５】
これにより、ユーザーは、番組を録画した後で、データをいずれの圧縮率で記録媒体に記録して残すかを選択することができる。したがって、記録媒体の空き容量管理をする場合に利便性が増す。
【０２４６】
また、上記ドライブ装置は、上記記録媒体指定情報に指定される記録媒体毎に上記書込手段を一時的に無効にする書込無効モードを有し、上記書き込み命令および上記データが入力されたときに当該書き込み命令に含まれる上記記録媒体指定情報が指定する記録媒体に対して上記ドライブ装置が書込無効モードで動作している場合、装填されている上記記録媒体に上記データを書き込む第２の記録媒体書込手段をさらに備え、上記ドライブ装置に上記書き込み命令および上記データが入力されたときに当該書き込み命令に含まれる上記記録媒体指定情報が指定する記録媒体に対して上記ドライブ装置が書込無効モードで動作している場合、上記記録手段は、上記記録媒体指定情報および上記第１の領域指定情報を上記記憶部に記録する構成としてもよい。
【０２４７】
上記の構成によれば、番組録画装置は、上記ドライブ装置がある記録媒体に対して書込無効モードで動作している場合、データを記憶部ではなく記録媒体に書き込み、記録媒体指定情報および第１の領域指定情報を記憶部に記録する。
【０２４８】
よって、記憶部の記憶領域を有効に利用することができる。
【０２４９】
なお、上記番組録画装置は、一部をコンピュータによって実現してもよく、この場合には、コンピュータを上記各手段として動作させることにより上記番組録画装置をコンピュータにて実現させる制御プログラム、および上記制御プログラムを記録したコンピュータ読み取り可能な記録媒体も、本発明の範疇に入る。
【０２５０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２５１】
最後に、レコーダ装置１００の各ブロック、特にバックエンド制御部２４０およびドライブ制御部３２０は、ハードウェアロジックによって構成してもよいし、次のようにＣＰＵ（central processing unit）を用いてソフトウェアによって実現してもよい。
【０２５２】
すなわち、レコーダ装置１００は、各機能を実現する制御プログラムの命令を実行するＣＰＵ、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるレコーダ装置１００の制御プログラムのプログラムコード（実行形式プログラム、中間コードプログラム、ソースプログラム）をコンピュータで読み取り可能に記録した記録媒体を、上記レコーダ装置１００に供給し、そのコンピュータ（またはＣＰＵやＭＰＵ（microprocessor unit））が記録媒体に記録されているプログラムコードを読み出し実行することによっても、達成可能である。
【０２５３】
上記記録媒体としては、例えば、磁気テープやカセットテープ等のテープ系、フロッピー（登録商標）ディスク／ハードディスク等の磁気ディスクやＣＤ−ＲＯＭ（compact disc read-only memory）／ＭＯ（magneto-optical）／ＭＤ（Mini Disc）／ＤＶＤ（digital versatile disk）／ＣＤ−Ｒ（CD Recordable）等の光ディスクを含むディスク系、ＩＣカード（メモリカードを含む）／光カード等のカード系、あるいはマスクＲＯＭ／ＥＰＲＯＭ（erasable programmable read-only memory）／ＥＥＰＲＯＭ（electrically erasable and programmable read-only memory）／フラッシュＲＯＭ等の半導体メモリ系などを用いることができる。
【０２５４】
また、レコーダ装置１００を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ（local area network）、ＩＳＤＮ（integrated services digital network）、ＶＡＮ（value-added network）、ＣＡＴＶ（community antenna television）通信網、仮想専用網（virtual private network）、電話回線網、移動体通信網、衛星通信網等が利用可能である。また、通信ネットワークを構成する伝送媒体としては、特に限定されず、例えば、ＩＥＥＥ（institute of electrical and electronic engineers）１３９４、ＵＳＢ、電力線搬送、ケーブルＴＶ回線、電話線、ＡＤＳＬ（asynchronous digital subscriber loop）回線等の有線でも、ＩｒＤＡ（infrared data association）やリモコンのような赤外線、Ｂｌｕｅｔｏｏｔｈ（登録商標）、８０２．１１無線、ＨＤＲ（high data rate）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０２５５】
本発明は、リムーバブルな記録媒体用のドライブ部を備える番組録画装置に利用することができる。
【符号の説明】
【０２５６】
１００    レコーダ装置（番組録画装置）
２００    バックエンド部
２１０    チューナー部
２２０    エンコーダ部
２３０    ストリーム処理部
２４０    バックエンド制御部（制御手段）
２５０    バッファ部
２６０    デコーダ部
２７０    画像処理部
２８０    記憶部
２９０    インターフェース部
３００    ドライブ部（ドライブ装置）
３１０    インターフェース部
３２０    ドライブ制御部（書込手段、記録手段、同期手段、記録媒体書込手段、登録手段）
３３０    ディスクドライブ部
３４０    記憶部
【図１】
2010113480.tif 000003
【図２】
2010113480.tif 000004
【図３】
2010113480.tif 000005
【図４】
2010113480.tif 000006
【図５】
2010113480.tif 000007
【図６】
2010113480.tif 000008
【図７】
2010113480.tif 000009
【図８】
2010113480.tif 000010
【図９】
2010113480.tif 000011
【図１０】
2010113480.tif 000012
【図１１】
2010113480.tif 000013
【図１２】
2010113480.tif 000014
【図１３】
2010113480.tif 000015
【図１４】
2010113480.tif 000016
【図１５】
2010113480.tif 000017
【図１６】
2010113480.tif 000018
【図１７】
2010113480.tif 000019
【図１８】
2010113480.tif 000020
【図１９】
2010113480.tif 000021
【図２０】
2010113480.tif 000022
【図２１】
2010113480.tif 000023
【図２２】
2010113480.tif 000024
【図２３】
2010113480.tif 000025
【図２４】
2010113480.tif 000026
【図２５】
2010113480.tif 000027
【図２６】
2010113480.tif 000028
【手続補正書】
【提出日】平成23年9月20日(2011.9.20)
【手続補正１】
【補正対象書類名】特許請求の範囲
【補正対象項目名】全文
【補正方法】変更
【補正の内容】
【特許請求の範囲】
【請求項１】
ドライブ装置と、複数の記録媒体のいずれかを録画先として指定する記録媒体指定情報を含む予約録画情報に基づいて、番組を上記ドライブ装置に録画させる制御手段とを備える番組録画装置であって、
上記ドライブ装置には上記記録媒体を装填可能であり、
上記制御手段は、
上記記録媒体指定情報および当該記録媒体指定情報により指定された記録媒体上の記憶領域を指定する第１の領域指定情報を含む書き込み命令を、上記番組を表すデータと共に上記ドライブ装置に入力し、
上記ドライブ装置は、
記憶部と、
上記書き込み命令および上記データが入力されたとき、上記記憶部に上記データを書き込む書込手段と、
上記書込手段により上記データが書き込まれた上記記憶部上の記憶領域を指定する第２の領域指定情報を、上記記録媒体指定情報および上記第１の領域指定情報に関連付けて上記記憶部に記録する記録手段と、
上記複数の記録媒体のいずれかが装填されているとき、装填された記録媒体を指定する上記記録媒体指定情報に関連付けられた第２の領域指定情報により指定された上記記憶部上の記憶領域に書き込まれたデータを、当該第２の領域指定情報に関連付けられた第１の領域指定情報により指定された上記装填された記録媒体上の記憶領域に書き込む同期手段と、
上記記録媒体指定情報および上記第１の領域指定情報を上記記憶部に残したまま、関連付けられた第２の領域指定情報により指定された上記記憶部上の記憶領域に書き込まれたデータを削除する削除手段と、を備えていることを特徴とする番組録画装置。
【請求項２】
上記ドライブ装置は、上記複数の記録媒体毎に、上記複数の記録媒体を識別する識別情報を上記記憶部に登録する登録手段をさらに備えることを特徴とする請求項１に記載の番組録画装置。
【請求項３】
上記ドライブ装置は、上記書き込み命令および上記データが入力されたとき、上記書込手段が上記記憶部に上記データを書き込む第１の形式とは異なる第２の形式で、装填されている上記記録媒体に上記データを書き込む第１の記録媒体書込手段をさらに備えることを特徴とする請求項１または２に記載の番組録画装置。
【請求項４】
第１の形式と第２の形式とは、上記データの圧縮率が互いに異なることを特徴とする請求項３に記載の番組録画装置。
【請求項５】
上記ドライブ装置は、上記記録媒体指定情報に指定される記録媒体毎に上記書込手段を一時的に無効にする書込無効モードを有し、上記書き込み命令および上記データが入力されたときに当該書き込み命令に含まれる上記記録媒体指定情報が指定する記録媒体に対して上記ドライブ装置が書込無効モードで動作している場合、装填されている上記記録媒体に上記データを書き込む第２の記録媒体書込手段をさらに備え、
上記ドライブ装置に上記書き込み命令および上記データが入力されたときに当該書き込み命令に含まれる上記記録媒体指定情報が指定する記録媒体に対して上記ドライブ装置が書込無効モードで動作している場合、上記記録手段は、上記記録媒体指定情報および上記第１の領域指定情報を上記記憶部に記録することを特徴とする請求項１または２に記載の番組録画装置。
【請求項６】
記憶部を有するドライブ装置を備え、上記ドライブ装置には記録媒体を装填可能であり、複数の上記記録媒体のいずれかを録画先として指定する記録媒体指定情報を含む予約録画情報に基づいて、番組を上記ドライブ装置に録画させる番組録画装置における録画方法であって、
上記記録媒体指定情報および当該記録媒体指定情報により指定された記録媒体上の記憶領域を指定する第１の領域指定情報を含む書き込み命令を、上記番組を表すデータと共に上記ドライブ装置に与える入力ステップと、
上記記憶部に上記データを書き込む書込ステップと、
上記書込ステップにおいて上記データが書き込まれた上記記憶部上の記憶領域を指定する第２の領域指定情報を、上記記録媒体指定情報および上記第１の領域指定情報に関連付けて上記記憶部に記録する記録ステップと、
上記複数の記録媒体のいずれかが装填されているとき、装填された記録媒体を指定する上記記録媒体指定情報に関連付けられた第２の領域指定情報により指定された上記記憶部上の記憶領域に書き込まれたデータを、当該第２の領域指定情報に関連付けられた第１の領域指定情報により指定された上記装填された記録媒体上の記憶領域に書き込む同期ステップと、
上記記録媒体指定情報および上記第１の領域指定情報を上記記憶部に残したまま、関連付けられた第２の領域指定情報により指定された上記記憶部上の記憶領域に書き込まれたデータを削除する削除ステップと、を含むことを特徴とする録画方法。
【請求項７】
請求項１または２に記載の番組録画装置を動作させるための制御プログラムであって、コンピュータを上記の各手段として駆動させることを特徴とする制御プログラム。
【請求項８】
請求項７に記載の制御プログラムを記録したコンピュータ読み取り可能な記録媒体。
【国際調査報告】
2010113480.tif 000029
2010113480.tif 000030